(57)【要約】【課題】無線通信システムにおいて非周期的チャネル状態情報−参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ；ＣＳＩ−ＲＳ）を用いたチャネル状態報告のための方法を提供する。【解決手段】上記方法は端末によって行われ、単一ＣＳＩプロセスに含まれた複数の非周期的ＣＳＩ−ＲＳリソース設定を受信するステップと、複数の非周期的ＣＳＩ−ＲＳリソース設定のうちの一つによる非周期的ＣＳＩ−ＲＳを示す指示子を受信するステップと、有効な非周期的ＣＳＩ−ＲＳを用いたＣＳＩ要求を受信すると、指示子が示す非周期的ＣＳＩ−ＲＳに基づくチャネル状態情報を計算して基地局に報告するステップと、を含み、複数の非周期的ＣＳＩ−ＲＳリソース設定は、単一ＣＳＩプロセスにおける複数のＣＳＩ−ＲＳリソース設定に共通に適用されるパラメータを含むことができる。【選択図】  図１４
2018522474.tif 000002
【特許請求の範囲】
【請求項１】
無線通信システムにおいて非周期的チャネル状態情報−参照信号（ＣＳＩ−ＲＳ）を用いたチャネル状態報告のための方法であって、前記方法は、端末によって行われ、
単一ＣＳＩプロセスに含まれた複数の非周期的ＣＳＩ−ＲＳリソース設定を受信するステップと、
前記複数の非周期的ＣＳＩ−ＲＳリソース設定のうちの一つによる非周期的ＣＳＩ−ＲＳを示す指示子を受信するステップと、
有効な非周期的ＣＳＩ−ＲＳを用いたＣＳＩ要求を受信すると、前記指示子が示す非周期的ＣＳＩ−ＲＳに基づくチャネル状態情報を計算して基地局に報告するステップと、
を含み、
前記複数の非周期的ＣＳＩ−ＲＳリソース設定は、前記単一ＣＳＩプロセスにおける複数のＣＳＩ−ＲＳリソース設定に共通に適用されるパラメータを含むことを特徴とする、非周期的チャネル状態情報報告方法。
【請求項２】
前記指示子は、前記複数の非周期的ＣＳＩ−ＲＳリソース設定に共通するアンテナポート情報をさらに示す、請求項１に記載の非周期的チャネル状態情報報告方法。
【請求項３】
前記指示子は、前記指示子が示す前記非周期的ＣＳＩ−ＲＳのためのアンテナポート情報をさらに示す、請求項１に記載の非周期的チャネル状態情報報告方法。
【請求項４】
前記非周期的ＣＳＩ−ＲＳのためのアンテナポート情報に対応するリソース要素において前記非周期的ＣＳＩ−ＲＳに基づくチャネル状態情報を計算するステップをさらに含む、請求項３に記載の非周期的チャネル状態情報報告方法。
【請求項５】
複数の隣接したサブフレームにおいて部分アンテナポートで送信される非周期的ＣＳＩ−ＲＳの伝送を示す制御情報を受信するステップをさらに含み、
前記制御情報は、各サブフレームで非周期的ＣＳＩ−ＲＳ伝送のために用いられる部分アンテナポート情報を含む、請求項１に記載の非周期的チャネル状態情報報告方法。
【請求項６】
前記複数の隣接したサブフレームにおいてそれぞれの部分アンテナポート情報による非周期的ＣＳＩ−ＲＳを測定するステップと、
前記複数の隣接したサブフレームにおける測定結果を結合して全アンテナポートに対するチャネル情報を計算するステップと、
を含む、請求項５に記載の非周期的チャネル状態情報報告方法。
【請求項７】
前記指示子は、前記非周期的ＣＳＩ−ＲＳを用いたチャネル状態報告要求と結合して、前記複数の非周期的ＣＳＩ−ＲＳリソース設定のうちの一つを示す、請求項１に記載の非周期的チャネル状態情報報告方法。
【請求項８】
前記受信されたチャネル状態報告要求が、前記受信された指示子が受信された時点からＫ個のサブフレーム内に受信されると、前記受信されたチャネル状態報告要求が有効なものと判断される、請求項１に記載の非周期的チャネル状態情報報告方法。
【請求項９】
前記有効な非周期的ＣＳＩ−ＲＳを用いたチャネル状態報告要求を受信しないと、前記単一ＣＳＩプロセスにおける非周期的ＣＳＩの対象として設定されたＣＳＩ−ＲＳに対してチャネル状態情報を計算して基地局に報告するステップをさらに含む、請求項１に記載の非周期的チャネル状態情報報告方法。
【請求項１０】
無線通信システムにおいて非周期的チャネル状態情報−参照信号（ＣＳＩ−ＲＳ）を用いたチャネル状態報告を行うように構成された端末であって、前記端末は、
送信器と、
受信器と、
前記送信器及び受信器を制御するように構成されたプロセッサと、
を備え、
前記プロセッサは、
単一ＣＳＩプロセスに含まれた複数の非周期的ＣＳＩ−ＲＳリソース設定を受信し、
前記複数の非周期的ＣＳＩ−ＲＳリソース設定のうちの一つによる非周期的ＣＳＩ−ＲＳを示す指示子を受信し
有効な非周期的ＣＳＩ−ＲＳを用いたＣＳＩ要求を受信すると、前記指示子が示す非周期的ＣＳＩ−ＲＳに基づくチャネル状態情報を計算して基地局に報告するように構成され、
前記複数の非周期的ＣＳＩ−ＲＳリソース設定は、前記単一ＣＳＩプロセスにおける複数のＣＳＩ−ＲＳリソース設定に共通に適用されるパラメータを含むことを特徴とする、端末。
【請求項１１】
前記指示子は、前記複数の非周期的ＣＳＩ−ＲＳリソース設定に共通するアンテナポート情報をさらに示す、請求項１０に記載の端末。
【請求項１２】
前記指示子は、前記指示子が示す前記非周期的ＣＳＩ−ＲＳのためのアンテナポート情報をさらに示す、請求項１０に記載の端末。
【請求項１３】
前記プロセッサは、前記非周期的ＣＳＩ−ＲＳのためのアンテナポート情報に対応するリソース要素において前記非周期的ＣＳＩ−ＲＳに基づくチャネル状態情報を計算するように構成される、請求項１２に記載の端末。
【請求項１４】
前記プロセッサは、複数の隣接したサブフレームにおいて部分アンテナポートで送信される非周期的ＣＳＩ−ＲＳの伝送を示す制御情報を受信するように構成され、前記制御情報は、各サブフレームにおいて非周期的ＣＳＩ−ＲＳ伝送のために用いられる部分アンテナポート情報を含む、請求項１０に記載の端末。
【請求項１５】
前記プロセッサは、前記複数の隣接したサブフレームにおいてそれぞれの部分アンテナポート情報による非周期的ＣＳＩ−ＲＳを測定し、そして前記複数の隣接したサブフレームにおける測定結果を結合して全アンテナポートに対するチャネル情報を計算するように構成される、請求項１４に記載の端末。
【請求項１６】
前記指示子は、前記非周期的ＣＳＩ−ＲＳを用いたチャネル状態報告要求と結合して、前記複数の非周期的ＣＳＩ−ＲＳリソース設定のうちの一つを示す、請求項１０に記載の端末。
【請求項１７】
前記受信されたチャネル状態報告要求が、前記受信された指示子が受信された時点からＫ個のサブフレーム内に受信されると、前記受信されたチャネル状態報告要求が有効なものと判断される、請求項１０に記載の端末。
【請求項１８】
前記プロセッサは、前記有効な非周期的ＣＳＩ−ＲＳを用いたチャネル状態報告要求を受信しないと、前記単一ＣＳＩプロセスにおける非周期的ＣＳＩの対象として設定されたＣＳＩ−ＲＳに対してチャネル状態情報を計算して基地局に報告するように構成される、請求項１に記載の端末。
【発明の詳細な説明】
【技術分野】
【０００１】
本発明は、無線通信システムに関し、特に、非周期的チャネル状態情報−参照信号を用いたチャネル状態報告のための方法及びそのための装置に関する。
【背景技術】
【０００２】
機器間（Ｍａｃｈｉｎｅ−ｔｏ−Ｍａｃｈｉｎｅ、Ｍ２Ｍ）通信と、高いデータ送信量を要求するスマートフォン、タブレットＰＣなどの様々な装置及び技術が出現及び普及されている。これに伴い、セルラー網で処理されることが要求されるデータ量も急増している。このように急増しているデータ処理要求量を満たすために、より多い周波数帯域を效率的に使用するための搬送波集成（ｃａｒｒｉｅｒ  ａｇｇｒｅｇａｔｉｏｎ；ＣＡ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００４】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００５】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムに加えて或いはそれに代えてセルラー通信の新しい基盤として台頭している。
【発明の概要】
【発明が解決しようとする課題】
【０００６】
本発明は、非周期的チャネル状態情報−参照信号ベースのチャネル状態報告のための方法を提案しようとする。
【０００７】
本発明で遂げようとする技術的課題は上記技術的課題に制限されず、言及していない他の技術的課題は、以下の記載から、本発明の属する技術の分野における通常の知識を有する者に明確に理解されるであろう。
【課題を解決するための手段】
【０００８】
本発明の一実施例に係る無線通信システムにおいて非周期的チャネル状態情報−参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ；ＣＳＩ−ＲＳ）を用いたチャネル状態報告のための方法であって、上記方法は端末によって行われ、上記方法は、単一ＣＳＩプロセスに含まれた複数の非周期的ＣＳＩ−ＲＳリソース設定を受信するステップと、上記複数の非周期的ＣＳＩ−ＲＳリソース設定のうちの一つによる非周期的ＣＳＩ−ＲＳを示す指示子を受信するステップと、有効な非周期的ＣＳＩ−ＲＳを用いたＣＳＩ要求を受信すると、上記指示子が示す非周期的ＣＳＩ−ＲＳに基づくチャネル状態情報を計算して基地局に報告するステップとを含み、上記複数の非周期的ＣＳＩ−ＲＳリソース設定は、上記単一ＣＳＩプロセスにおける複数のＣＳＩ−ＲＳリソース設定に共通に適用されるパラメータを含むことができる。
【０００９】
追加又は代案として、上記指示子は、上記複数の非周期的ＣＳＩ−ＲＳリソース設定に共通するアンテナポート情報をさらに示すことができる。
【００１０】
追加又は代案として、上記指示子は、上記指示子が示す上記非周期的ＣＳＩ−ＲＳのためのアンテナポート情報をさらに示すことができる。
【００１１】
追加又は代案として、上記方法は、上記非周期的ＣＳＩ−ＲＳのためのアンテナポート情報に対応するリソース要素（ｒｅｓｏｕｒｃｅ  ｅｌｅｍｅｎｔ）において上記非周期的ＣＳＩ−ＲＳに基づくチャネル状態情報を計算するステップをさらに含むことができる。
【００１２】
追加又は代案として、上記方法は、複数の隣接したサブフレームにおいて部分アンテナポートで送信される非周期的ＣＳＩ−ＲＳの伝送を示す制御情報を受信するステップを含み、上記制御情報は、各サブフレームにおいて非周期的ＣＳＩ−ＲＳ伝送のために用いられる部分アンテナポート情報を含むことができる。
【００１３】
追加又は代案として、上記方法は、上記複数の隣接したサブフレームにおいてそれぞれの部分アンテナポート情報による非周期的ＣＳＩ−ＲＳを測定するステップと、上記複数の隣接したサブフレームにおける測定結果を結合して全アンテナポートに対するチャネル情報を計算するステップとを含むことができる。
【００１４】
追加又は代案として、上記指示子は、上記非周期的ＣＳＩ−ＲＳを用いたチャネル状態報告要求と結合して、上記複数の非周期的ＣＳＩ−ＲＳリソース設定のうちの一つを示すことができる。
【００１５】
追加又は代案として、上記受信されたチャネル状態報告要求が、上記受信された指示子が受信された時点からＫ個のサブフレーム内に受信されると、上記受信されたチャネル状態報告要求が有効なものと判断されてもよい。
【００１６】
追加又は代案として、上記有効な非周期的ＣＳＩ−ＲＳを用いたチャネル状態報告要求を受信しないと、上記方法は、上記単一ＣＳＩプロセスにおける非周期的ＣＳＩの対象として設定されたＣＳＩ−ＲＳに対してチャネル状態情報を計算して基地局に報告するステップをさらに含むことができる。
【００１７】
本発明の他の実施例に係る無線通信システムにおいて非周期的チャネル状態情報−参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ；ＣＳＩ−ＲＳ）を用いたチャネル状態報告を行うように構成された端末であって、上記端末は、送信器と、受信器と、上記ＲＦユニットを制御するように構成されたプロセッサとを含み、上記プロセッサは、単一ＣＳＩプロセスに含まれた複数の非周期的ＣＳＩ−ＲＳリソース設定を受信し、上記複数の非周期的ＣＳＩ−ＲＳリソース設定のうちの一つによる非周期的ＣＳＩ−ＲＳを示す指示子を受信し、そして有効な非周期的ＣＳＩ−ＲＳを用いたＣＳＩ要求を受信すると、上記指示子が示す非周期的ＣＳＩ−ＲＳに基づくチャネル状態情報を計算して基地局に報告するように構成され、上記複数の非周期的ＣＳＩ−ＲＳリソース設定は、上記単一ＣＳＩプロセスにおける複数のＣＳＩ−ＲＳリソース設定に共通に適用されるパラメータを含むことができる。
【００１８】
追加又は代案として、上記指示子は、上記複数の非周期的ＣＳＩ−ＲＳリソース設定に共通するアンテナポート情報をさらに示すことができる。
【００１９】
追加又は代案として、上記指示子は、上記指示子が示す上記非周期的ＣＳＩ−ＲＳのためのアンテナポート情報をさらに示すことができる。
【００２０】
追加又は代案として、上記プロセッサは、上記非周期的ＣＳＩ−ＲＳのためのアンテナポート情報に対応するリソース要素（ｒｅｓｏｕｒｃｅ  ｅｌｅｍｅｎｔ）において上記非周期的ＣＳＩ−ＲＳに基づくチャネル状態情報を計算するように構成されてもよい。
【００２１】
追加又は代案として、上記プロセッサは、複数の隣接したサブフレームにおいて部分アンテナポートで送信される非周期的ＣＳＩ−ＲＳの伝送を示す制御情報を受信するように構成され、上記制御情報は各サブフレームにおいて非周期的ＣＳＩ−ＲＳ伝送のために用いられる部分アンテナポート情報を含むことができる。
【００２２】
追加又は代案として、上記プロセッサは、上記複数の隣接したサブフレームにおいてそれぞれの部分アンテナポート情報による非周期的ＣＳＩ−ＲＳを測定し、そして上記複数の隣接したサブフレームにおける測定結果を結合して全アンテナポートに対するチャネル情報を計算するように構成されてもよい。
【００２３】
追加又は代案として、上記指示子は、上記非周期的ＣＳＩ−ＲＳを用いたチャネル状態報告要求と結合して、上記複数の非周期的ＣＳＩ−ＲＳリソース設定のうちの一つを示すことができる。
【００２４】
追加又は代案として、上記受信されたチャネル状態報告要求が、上記受信された指示子が受信された時点からＫ個のサブフレーム内に受信されると、上記受信されたチャネル状態報告要求が有効なものと判断されてもよい。
【００２５】
追加又は代案として、上記プロセッサは、上記有効な非周期的ＣＳＩ−ＲＳを用いたチャネル状態報告要求を受信しないと、上記単一ＣＳＩプロセスにおける非周期的ＣＳＩの対象として設定されたＣＳＩ−ＲＳに対してチャネル状態情報を計算して基地局に報告するように構成されてもよい。
【００２６】
上記の課題解決方法は本発明の実施例の一部に過ぎず、本願発明の技術的特徴が反映された様々な実施例が、当該技術の分野における通常の知識を有する者によって以下に詳述する本発明の詳細な説明に基づいて導出されて理解されるであろう。
【発明の効果】
【００２７】
本発明の実施例によれば、拡張されるアンテナポート数による周期的チャネル状態報告−参照信号に基づくチャネル状態報告を効率よく処理することができる。
【００２８】
本発明から得られる効果は、以上で言及した効果に制限されず、言及していない他の効果は、以下の記載から、本発明の属する技術の分野における通常の知識を有する者に明確に理解されるであろう。
【図面の簡単な説明】
【００２９】
本発明に関する理解を助けるために詳細な説明の一部として含まれる添付の図面は、本発明の実施例を提供し、詳細な説明と共に本発明の技術的思想を説明する。
【００３０】
【図１】無線通信システムにおいて用いられる無線フレーム構造の一例を示す図である。
【図２】無線通信システムにおいて下りリンク／上りリンク（ＤＬ／ＵＬ）スロット構造の一例を示す図である。
【図３】３ＧＰＰ  ＬＴＥ／ＬＴＥ−Ａシステムにおいて用いられる下りリンク（ｄｏｗｎｌｉｎｋ；ＤＬ）サブフレーム構造を例示する図である。
【図４】３ＧＰＰ  ＬＴＥ／ＬＴＥ−Ａシステムにおいて用いられる上りリンク（ｕｐｌｉｎｋ；ＵＬ）サブフレーム構造の一例を示す図である。
【図５】単一ＣＳＩプロセスにおける複数のＣＳＩ−ＲＳ設定及びデフォルト（ｄｅｆａｕｌｔ）フィードバック方法を例示する図である。
【図６】単一ＣＳＩプロセスにおける複数のＣＳＩ−ＲＳ設定及びその状態（ｓｔａｔｅ）、そしてデフォルトフィードバック方法を例示する図である。
【図７】本発明の一実施例に係る非周期的ＣＳＩ要求とその対象ＣＳＩ−ＲＳリソースを示す図である。
【図８】本発明の一実施例に係る非周期的ＣＳＩ要求とその対象ＣＳＩ−ＲＳリソースを示す図である。
【図９】本発明の一実施例に係る非周期的ＣＳＩ要求とその対象ＣＳＩ−ＲＳリソースを示す図である。
【図１０】本発明の一実施例に係る垂直ビームを用いた伝送を示す図である。
【図１１】本発明の一実施例に係る垂直ビームを用いた伝送を示す図である。
【図１２】本発明の一実施例に係る互いに異なるビームが適用されたＣＳＩ−ＲＳを示す図である。
【図１３】本発明の一実施例に係る動作を示す図である。
【図１４】本発明の実施例を具現するための装置を示すブロック図である。
【発明を実施するための形態】
【００３１】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００３２】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００３３】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００３４】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３５】
以下に説明する本発明の多重ノードシステムにおいて、複数のノードに接続した１つ以上のｅＮＢ或いはｅＮＢコントローラが、上記複数のノードの一部又は全てを介してＵＥに同時に信号を送信或いは受信するように上記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３６】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３７】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、上記特定ノードのアンテナポートが上記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００３８】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３９】
図１は、無線通信システムで用いられる無線フレーム構造の一例を示す図である。特に、図１（ａ）は、３ＧＰＰ ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００４０】
図１を参照すると、３ＧＰＰ ＬＴＥ／ＬＴＥ−Ａシステムで用いられる無線フレームは、１０ｍｓ（３０７２００Ｔｓ）の長さを有し、１０個の均等なサイズのサブフレーム（ｓｕｂｆｒａｍｅ、ＳＦ）で構成される。1無線フレームにおける１０個のサブフレームにはそれぞれ番号を与えることができる。ここで、Ｔｓは、サンプリング時間を表し、Ｔｓ＝１／（２０４８＊１５ｋＨｚ）で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００４１】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００４２】
表１は、ＴＤＤで、無線フレームにおけるサブフレームのＤＬ−ＵＬ構成（ｃｏｎｆｉｇｕｒａｔｉｏｎ）を例示するものである。
【００４３】
【表１】
2018522474.tif 000003
【００４４】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【００４５】
【表２】
2018522474.tif 000004
【００４６】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４７】
図２を参照すると、スロットは、時間ドメイン（ｔｉｍｅ  ｄｏｍａｉｎ）で複数のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを含み、周波数ドメイン（ｆｒｅｑｕｅｎｃｙ  ｄｏｍａｉｎ）で複数のリソースブロック（ｒｅｓｏｕｒｃｅ  ｂｌｏｃｋ、ＲＢ）を含む。ＯＦＤＭシンボルは、１シンボル区間を意味することもある。図２を参照すると、各スロットで送信される信号は、
2018522474.tif 000005
個の副搬送波（ｓｕｂｃａｒｒｉｅｒ）と
2018522474.tif 000006
個のＯＦＤＭシンボルとで構成されるリソース格子（ｒｅｓｏｕｒｃｅ  ｇｒｉｄ）と表現することができる。ここで、
2018522474.tif 000007
は、下りリンクスロットにおけるリソースブロック（ｒｅｓｏｕｒｃｅ  ｂｌｏｃｋ、ＲＢ）の個数を表し、
2018522474.tif 000008
は、ＵＬスロットにおけるＲＢの個数を表す。
2018522474.tif 000009
と
2018522474.tif 000010
は、ＤＬ送信帯域幅とＵＬ送信帯域幅にそれぞれ依存する。
2018522474.tif 000011
は、下りリンクスロットにおけるＯＦＤＭシンボルの個数を表し、
2018522474.tif 000012
は、ＵＬスロットにおけるＯＦＤＭシンボルの個数を表す。
2018522474.tif 000013
は、１つのＲＢを構成する副搬送波の個数を表す。
【００４８】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2018522474.tif 000014
個の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及びＤＣ（Ｄｉｒｅｃｔ  Ｃｕｒｒｅｎｔ）成分のためのヌル（ｎｕｌｌ）副搬送波に分類することができる。 ＤＣ成分のためのヌル副搬送波は、未使用のまま残される副搬送波であり、ＯＦＤＭ信号生成過程或いは周波数アップ変換過程で搬送波周波数（ｃａｒｒｉｅｒ  ｆｒｅｑｕｅｎｃｙ、ｆ０）にマップされる。搬送波周波数は中心周波数（ｃｅｎｔｅｒ  ｆｒｅｑｕｅｎｃｙ、ｆｃ）と呼ばれることもある。
【００４９】
１  ＲＢは、時間ドメインで
2018522474.tif 000015
個（例えば、７個）の連続するＯＦＤＭシンボルと定義され、周波数ドメインで
2018522474.tif 000016
個（例えば、１２個）の連続する副搬送波と定義される。参考として、１つのＯＦＤＭシンボルと１つの副搬送波で構成されたリソースをリソース要素（ｒｅｓｏｕｒｃｅ  ｅｌｅｍｅｎｔ、ＲＥ）或いはトーン（ｔｏｎｅ）という。したがって、１つのＲＢは、
2018522474.tif 000017
個のリソース要素で構成される。リソース格子における各リソース要素は、１つのスロットにおけるインデックス対（ｋ，１）によって固有に定義できる。ｋは、周波数ドメインで０から
2018522474.tif 000018
まで与えられるインデックスであり、ｌは、時間ドメインで０から
2018522474.tif 000019
まで与えられるインデックスである。
【００５０】
１サブフレームにおいて
2018522474.tif 000020
個の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎＰＲＢ＝ｎＶＲＢとなる。局部タイプのＶＲＢには０からＮＤＬＶＲＢ−１順に番号が与えられ、ＮＤＬＶＲＢ＝ＮＤＬＲＢである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
【００５１】
図３は、３ＧＰＰ ＬＴＥ／ＬＴＥ−Ａシステムで用いられる下りリンク（ｄｏｗｎｌｉｎｋ、ＤＬ）サブフレーム構造を例示する図である。
【００５２】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００５３】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００５４】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５５】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１ ＣＣＥは９個のＲＥＧに対応し、１ ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表は、探索空間を定義する集成レベルを例示するものである。
【００５６】
【表３】
2018522474.tif 000021
【００５７】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００５８】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、上記ＵＥ或いはＵＥグループがどのようにＰＤＳＣＨデータを受信して復号すればよいかなどを示す情報がＰＤＣＣＨに含まれて送信される。例えば、特定ＰＤＣＣＨが“Ａ”というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、“Ｂ”という無線リソース（例、周波数位置）及び“Ｃ”という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、“Ａ”というＲＮＴＩを有しているＵＥはＰＤＣＣＨを検出し、受信したＰＤＣＣＨの情報によって“Ｂ”と“Ｃ”で示されるＰＤＳＣＨを受信する。
【００５９】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ ＲＳ）とに区別される。ｅＮＢが特定ＵＥのための下りリンクデータの復調のために送信するＤＭ ＲＳをＵＥ−特定的（ＵＥ−ｓｐｅｃｉｆｉｃ）ＲＳと特別に称することもできる。下りリンクでＤＭ ＲＳとＣＲＳは共に送信されてもよいが、いずれか一方のみが送信されてもよい。ただし、下りリンクでＣＲＳ無しにＭ ＲＳのみを送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００６０】
図４は、３ＧＰＰ ＬＴＥ／ＬＴＥ−Ａシステムで用いられる上りリンク（ＵＬ）サブフレーム構造の一例を示す図である。
【００６１】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００６２】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００６３】
ＰＵＣＣＨは、次の制御情報を送信するために用いることができる。
【００６４】
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
【００６５】
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００６６】
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００６７】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。
【００６８】
下記の表４に、ＬＴＥ／ＬＴＥ−ＡシステムでＰＵＣＣＨフォーマットとＵＣＩとのマッピング関係を示す。
【００６９】
【表４】
2018522474.tif 000022
【００７０】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００７１】
参照信号（Ｒｅｆｅｒｅｎｃｅ  Ｓｉｇｎａｌ;ＲＳ）
【００７２】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００７３】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート（ａｎｔｅｎｎａ  ｐｏｒｔ）別に異なった参照信号が存在しなければならない。
【００７４】
参照信号は上りリンク参照信号と下りリンク参照信号とに区別できる。現在、ＬＴＥシステムには、上りリンク参照信号として、
【００７５】
i）ＰＵＳＣＨ及びＰＵＣＣＨを通じて送信された情報のコヒーレント（ｃｏｈｅｒｅｎｔ）な復調のためのチャネル推定のための復調参照信号（ＤｅＭｏｄｕｌａｔｉｏｎ−Ｒｅｆｅｒｅｎｃｅ  Ｓｉｇｎａｌ、ＤＭ−ＲＳ）
【００７６】
ii）基地局が、ネットワークの異なる周波数における上りリンクチャネル品質を測定するためのサウンディング参照信号（Ｓｏｕｎｄｉｎｇ  Ｒｅｆｅｒｅｎｃｅ  Ｓｉｇｎａｌ、ＳＲＳ）がある。
【００７７】
一方、下りリンク参照信号としては、
【００７８】
i）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ、ＣＲＳ）
【００７９】
ii）特定端末だけのための端末−特定参照信号（ＵＥ−ｓｐｅｃｉｆｉｃ  Ｒｅｆｅｒｅｎｃｅ  Ｓｉｇｎａｌ）
【００８０】
iii）ＰＤＳＣＨが送信される場合に、コヒーレントな復調のために送信される（ＤｅＭｏｄｕｌａｔｉｏｎ−Ｒｅｆｅｒｅｎｃｅ  Ｓｉｇｎａｌ、ＤＭ−ＲＳ）
【００８１】
iv）下りリンクＤＭＲＳが送信される場合に、チャネル状態情報（Ｃｈａｎｎｅｌ  Ｓｔａｔｅ  Ｉｎｆｏｒｍａｔｉｏｎ;ＣＳＩ）を伝達するためのチャネル状態情報参照信号（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ、ＣＳＩ−ＲＳ）
【００８２】
v）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
【００８３】
vi）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００８４】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースで共に送る参照信号であって、端末は当該参照信号を受信することによってチャネル測定をしてデータを復調することが可能になる。この参照信号は、データの送信される領域で送信されなければならない。
【００８５】
ＣＳＩ報告
【００８６】
３ＧＰＰ  ＬＴＥ（−Ａ）システムでは、ユーザ機器（ＵＥ）がチャネル状態情報（ＣＳＩ）を基地局（ＢＳ）に報告するように定義されており、チャネル状態情報（ＣＳＩ）とは、ＵＥとアンテナポート間に形成される無線チャネル（リンクともいう。）の品質を示し得る情報のことを総称する。例えば、ランク指示子（ｒａｎｋ  ｉｎｄｉｃａｔｏｒ；ＲＩ）、プリコーディング行列指示子（ｐｒｅｃｏｄｉｎｇ  ｍａｔｒｉｘ  ｉｎｄｉｃａｔｏｒ；ＰＭＩ）、チャネル品質指示子（ｃｈａｎｎｅｌ  ｑｕａｌｉｔｙ  ｉｎｄｉｃａｔｏｒ；ＣＱＩ）などがそれに当たる。ここで、ＲＩはチャネルのランク（ｒａｎｋ）情報を示し、これは、ＵＥが同一の時間−周波数リソースで受信するストリームの個数を意味する。この値は、チャネルのロングタームフェージング（ｆａｄｉｎｇ）に従って決定されるため、通常、ＰＭＩ、ＣＱＩに比べて長い周期でＵＥからＢＳへフィードバックされる。ＰＭＩはチャネル空間特性を反映した値であり、ＳＩＮＲなどのメトリック（ｍｅｔｒｉｃ）を基準に、ＵＥの好むプリコーディングインデックスを示す。ＣＱＩは、チャネルの強度を示す値であり、一般に、ＢＳがＰＭＩを用いた時に得られる受信ＳＩＮＲを意味する。
【００８７】
上記無線チャネルの測定に基づいて、ＵＥは、現在チャネル状態下で上記ＢＳによって用いられると最適又は最高の伝送レートが導出され得る、好むＰＭＩ及びＲＩを計算し、計算されたＰＭＩ及びＲＩを上記ＢＳにフィードバックする。ここで、ＣＱＩは、上記フィードバックされたＰＭＩ／ＲＩに対する収容可能なパケット誤り率（ｐａｃｋｅｔ  ｅｒｒｏｒ  ｐｒｏｂａｂｉｌｉｔｙ）を提供する変調及びコーディング方式（ｍｏｄｕｌａｔｉｏｎ  ａｎｄ  ｃｏｄｉｎｇ  ｓｃｈｅｍｅ）を示す。
【００８８】
一方、より精密なＭＵ−ＭＩＭＯと明示的なＣｏＭＰ動作を含むことが期待されるＬＴＥ−Ａシステムにおいて、現在のＣＳＩフィードバックはＬＴＥで定義されたものであり、このため、新しく導入される動作を十分に支援することができない。ＣＳＩフィードバックの正確度に対する要求事項が、十分なＭＵ−ＭＩＭＯ又はＣｏＭＰスループット（ｔｈｒｏｕｇｈｐｕｔ）利得を得るために益々難しくなることから、ＰＭＩは、ロングターム（ｌｏｎｇ  ｔｅｒｍ）／広帯域（ｗｉｄｅｂａｎｄ）ＰＭＩ（Ｗ１）、及びショートターム（ｓｈｏｒｔ  ｔｅｒｍ）／サブバンド（ｓｕｂｂａｎｄ）ＰＭＩ（Ｗ２）、の２種類で構成されるように合意された。言い換えると、最終ＰＭＩは、Ｗ１とＷ２の関数として表現される。例えば、最終ＰＭＩ  Ｗを次のように定義することができる：Ｗ＝Ｗ１＊Ｗ２、又はＷ＝Ｗ２＊Ｗ１。したがって、ＬＴＥ−Ａにおいて、ＣＳＩはＲＩ、Ｗ１、Ｗ２及びＣＱＩで構成されるだろう。
【００８９】
３ＧＰＰ  ＬＴＥ（−Ａ）システムにおいてＣＳＩ伝送のために用いられる上りリンクチャネルは、次の表５のとおりである。
【００９０】
【表５】
2018522474.tif 000023
【００９１】
表５を参照すると、ＣＳＩは、上位層で定めた周期で、物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）を介して送信されてもよく、スケジューラの必要によって非周期的に物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）を介して送信されてもよい。ＣＳＩがＰＵＳＣＨで送信される場合は、周波数選択的なスケジューリング方式及び非周期的ＣＳＩ伝送である場合にのみ可能である。以下では、スケジューリング方式及び周期性によるＣＳＩ伝送方式について説明する。
【００９２】
１）ＣＳＩ伝送要求制御信号（ＣＳＩ  ｒｅｑｕｅｓｔ）受信後、ＰＵＳＣＨを用いたＣＱＩ／ＰＭＩ／ＲＩの伝送
【００９３】
ＰＤＣＣＨ信号で送信されるＰＵＳＣＨスケジューリング制御信号（ＵＬ  Ｇｒａｎｔ）に、ＣＳＩを送信するように要求する制御信号が含まれ得る。次の表は、ＰＵＳＣＨでＣＱＩ、ＰＭＩ、ＲＩを送信する時のＵＥのモードを表す。
【００９４】
【表６】
2018522474.tif 000024
【００９５】
表６の伝送モードは、上位レイヤで選択され、ＣＱＩ／ＰＭＩ／ＲＩはいずれも同一のＰＵＳＣＨサブフレームで送信される。以下では、各モードによるＵＥの上りリンク伝送方法について説明する。
【００９６】
モード１−２（Ｍｏｄｅ  １−２）は、それぞれのサブバンドに対してデータがサブバンドだけを通じて送信されるという仮定の下にプリコーディング行列を選択する場合を表す。ＵＥは、システム帯域又は上位レイヤで指定した帯域（ｓｅｔ  Ｓ）の全てに対して選択したプリコーディング行列を仮定してＣＱＩを生成する。モード１−２においてＵＥはＣＱＩと各サブバンドのＰＭＩ値を送信することができる。このとき、各サブバンドのサイズは、システム帯域のサイズによって変わってもよい。
【００９７】
モード２−０（Ｍｏｄｅ  ２−０）でのＵＥは、システム帯域又は上位レイヤで指定した指定帯域（ｓｅｔ  Ｓ）に対して、好むＭ個のサブバンドを選択することができる。ＵＥは、選択したＭ個のサブバンドに対してデータを送信するという仮定の下に一つのＣＱＩ値を生成することができる。ＵＥはさらにシステム帯域又はｓｅｔ  Ｓに対して一つのＣＱＩ（ｗｉｄｅｂａｎｄ  ＣＱＩ）値を報告することが好ましい。ＵＥは、選択したＭ個のサブバンドに対して複数個のコードワードがある場合、各コードワードに対するＣＱＩ値を差分形式で定義する。
【００９８】
このとき、差分ＣＱＩ値は、選択したＭ個のサブバンドに対するＣＱＩ値に該当するインデックスと広帯域ＣＱＩ（ＷＢ−ＣＱＩ：Ｗｉｄｅｂａｎｄ  ＣＱＩ）インデックスとの差値と決定される。
【００９９】
モード２−０のＵＥは、選択したＭ個のサブバンドの位置に関する情報、選択したＭ個のサブバンドに対する一つのＣＱＩ値、及び全帯域又は指定帯域（ｓｅｔ  Ｓ）に対して生成したＣＱＩ値を、ＢＳに送信することができる。このとき、サブバンドのサイズ及びＭ値は、システム帯域のサイズによって変わってもよい。
【０１００】
モード２−２（Ｍｏｄｅ  ２−２）のＵＥは、Ｍ個の好むサブバンドでデータを送信するという仮定の下に、Ｍ個の好むサブバンドの位置とＭ個の好むサブバンドに対する単一プリコーディング行列を同時に選択することができる。このとき、Ｍ個の好むサブバンドに対するＣＱＩ値は、コードワードごとに定義される。また、ＵＥはさらに、システム帯域又は指定帯域（ｓｅｔ  Ｓ）に対して広帯域ＣＱＩ（ｗｉｄｅｂａｎｄ  ＣＱＩ）値を生成する。
【０１０１】
モード２−２のＵＥは、Ｍ個の好むサブバンドの位置に関する情報、選択されたＭ個のサブバンドに対する一つのＣＱＩ値、Ｍ個の好むサブバンドに対する単一ＰＭＩ、広帯域ＰＭＩ、広帯域ＣＱＩ値を、ＢＳに送信することができる。このとき、サブバンドのサイズ及びＭ値は、システム帯域のサイズによって変わってもよい。
【０１０２】
モード３−０（Ｍｏｄｅ  ３−０）のＵＥは、広帯域ＣＱＩ値を生成する。ＵＥは、各サブバンドでデータを送信するという仮定の下に各サブバンドに対するＣＱＩ値を生成する。このとき、ＲＩ＞１であっても、ＣＱＩ値は最初のコードワードに対するＣＱＩ値だけを示す。
【０１０３】
モード３−１（Ｍｏｄｅ  ３−１）のＵＥは、システム帯域又は指定帯域（ｓｅｔ  Ｓ）に対して単一プリコーディング行列（ｐｒｅｃｏｄｉｎｇ  ｍａｔｒｉｘ）を生成する。ＵＥは各サブバンドに対して先に生成した単一プリコーディング行列を仮定して、コードワード別にサブバンドＣＱＩを生成する。また、ＵＥは単一プリコーディング行列を仮定して広帯域ＣＱＩを生成することができる。各サブバンドのＣＱＩ値は、差分形式で表現することができる。サブバンドＣＱＩ値は、サブバンドＣＱＩインデックスと広帯域ＣＱＩインデックスとの差値と計算される。このとき、サブバンドのサイズは、システム帯域のサイズによって変わってもよい。
【０１０４】
モード３−２（Ｍｏｄｅ３−２）のＵＥは、モード３−１と比較して、全帯域に対する単一プリコーディング行列の代わりに、各サブバンドに対するプリコーディング行列を生成する。
【０１０５】
２）ＰＵＣＣＨを用いた周期的なＣＱＩ／ＰＭＩ／ＲＩの伝送
【０１０６】
ＵＥは、ＣＳＩ（例えば、ＣＱＩ／ＰＭＩ／ＰＴＩ（ｐｒｅｃｏｄｉｎｇ  ｔｙｐｅ  ｉｎｄｉｃａｔｏｒ）及び／又はＲＩ情報）をＰＵＣＣＨを介してＢＳに周期的に送信することができる。仮に、ＵＥがユーザデータを送信する旨の制御信号を受信した場合には、ＵＥはＰＵＣＣＨを介してＣＱＩを送信することができる。制御信号がＰＵＳＣＨで送信されても、ＣＱＩ／ＰＭＩ／ＰＴＩ／ＲＩは、次の表に定義されたモードのいずれか一方式によって送信されればよい。
【０１０７】
【表７】
2018522474.tif 000025
【０１０８】
ＵＥは、表７のような伝送モードを有することができる。表７を参照すると、モード２−０（Ｍｏｄｅ  ２−０）及びモード２−１（Ｍｏｄｅ  ２−１）の場合、帯域幅パート（ＢＰ：Ｂａｎｄｗｉｄｔｈ  Ｐａｒｔ）は周波数領域において連続して位置しているサブバンドの集合であり、システム帯域又は指定帯域（ｓｅｔ  Ｓ）のいずれもカバーすることができる。表９で、各サブバンドのサイズ、ＢＰのサイズ及びＢＰの個数は、システム帯域のサイズによって変わってもよい。また、ＵＥは、システム帯域又は指定帯域（ｓｅｔ  Ｓ）をカバーできるように、ＢＰ別にＣＱＩを周波数領域において昇順で送信する。
【０１０９】
ＣＱＩ／ＰＭＩ／ＰＴＩ／ＲＩの伝送組み合わせによって、ＵＥは次のようなＰＵＣＣＨ伝送タイプを有することができる。
【０１１０】
i）タイプ１（Ｔｙｐｅ１）：モード２−０（Ｍｏｄｅ  ２−０）、モード２−１（Ｍｏｄｅ  ２−１）のサブバンドＣＱＩ（ＳＢ−ＣＱＩ）を送信する。
【０１１１】
ii）タイプ１ａ：サブバンドＣＱＩ及び第２のＰＭＩを送信する
【０１１２】
iii）タイプ２、タイプ２ｂ、タイプ２ｃ：広帯域ＣＱＩ及びＰＭＩ（ＷＢ−ＣＱＩ／ＰＭＩ）を送信する。
【０１１３】
iv）タイプ２ａ：広帯域ＰＭＩを送信する。
【０１１４】
v）タイプ３：ＲＩを送信する。
【０１１５】
vi）タイプ４：広帯域ＣＱＩを送信する。
【０１１６】
vii）タイプ５：ＲＩ及び広帯域ＰＭＩを送信する。
【０１１７】
viii）タイプ６：ＲＩ及びＰＴＩを送信する。
【０１１８】
ＵＥがＲＩと広帯域ＣＱＩ／ＰＭＩを送信する場合、ＣＱＩ／ＰＭＩは、互いに異なる周期とオフセットを有するサブフレームに送信される。また、ＲＩと広帯域ＣＱＩ／ＰＭＩが同一のサブフレームに送信されるべき場合には、ＣＱＩ／ＰＭＩは送信されない。
【０１１９】
本発明ではＦＤ（ｆｒｅｑｕｅｎｃｙ  ｄｉｖｉｓｉｏｎ）−ＭＩＭＯ環境において端末にＣＳＩ−ＲＳを設定してチャネル測定をしようとするとき、一つのＣＳＩプロセスに二つ以上のＣＳＩ−ＲＳを設定して活用する方法について提案する。また、非周期的ＣＳＩ−ＲＳを設定するためのリソース設定方式及び伝送方式、その伝送に対する指示方式のシグナリング及びそれに関連する動作について提案する。
【０１２０】
複数のＣＳＩ−ＲＳリソースを含むＣＳＩプロセス
【０１２１】
ビームフォーミングされた（ｂｅａｍｆｏｒｍｅｄ）ＣＳＩ−ＲＳの場合、互いに異なる垂直（ｖｅｒｔｉｃａｌ）方向にビームフォーミングされたＣＳＩ−ＲＳを端末に割り当てて使用する状況が考慮されている。そのために、ＣＳＩプロセスには、互いに異なる“特性”を有するＣＳＩ−ＲＳが一つのＣＳＩプロセスに対して複数個設定される状況が論議されている。当該“特性”は次のとおりであり得る。
【０１２２】
−  ＲＢにおけるＲＥ位置（マッピング）
【０１２３】
−  伝送周期／オフセット
【０１２４】
−  伝送サブバンド
【０１２５】
−  アンテナポート数
【０１２６】
−  垂直ビーム
【０１２７】
−  スクランブリングＩＤ
【０１２８】
−  周期的か／非周期的か
【０１２９】
上記特性の一つ以上が異なる複数個のＣＳＩ−ＲＳを一つのＣＳＩプロセスに設定して、各ＣＳＩ−ＲＳの特性によって各ＣＳＩ−ＲＳを異なる用途（ＣＳＩ、ＲＳＲＰなど）に用いることができる。すなわち、一つのＣＳＩプロセスにＣＳＩ−ＲＳを設定して、ＣＳＩフィードバックチェーン（ｃｈａｉｎ）はそのまま維持するが、互いに異なるＣＳＩ−ＲＳに対するＣＳＩをフィードバックする動作が可能であろう。この時、仮に端末に非周期的ＣＳＩ−ＲＳ要求が送信されており、当該ＣＳＩプロセスに非周期的ＣＳＩの対象となり得るＣＳＩ−ＲＳが２つ以上存在すれば、端末は非周期的ＣＳＩ要求に指定されているＣＳＩプロセス内に設定されているＣＳＩ−ＲＳのうち、非周期的ＣＳＩを送信するように設定されているＣＳＩの全部に対する非周期的ＣＳＩ報告を行う。
【０１３０】
ＣＳＩ−ＲＳのためのフィードバック方法の設定
【０１３１】
第１案：チャネル測定／各ＣＳＩ−ＲＳのためのフィードバック設定
【０１３２】
ＣＳＩプロセスに設定されたＣＳＩ−ＲＳごとに異なるフィードバックタイプを設定することができる。例えば、４個のＣＳＩ−ＲＳが指定されているとき、そのフィードバック方法を図５のように設定することができる。
【０１３３】
この場合、ＣＳＩ−ＲＳ１を用いて周期的及び非周期的ＣＳＩ報告を、ＣＳＩ−ＲＳ２を用いて非周期的ＣＳＩ報告を行うことになる。ＲＳＲＰの場合は、ＣＳＩ−ＲＳ１〜４のそれぞれに対するＲＳＲＰを測定／送信することができる。該当のフィードバックタイプ設定は、ＲＲＣで設定することができる。ＣＳＩプロセスに定義されたＣＳＩ−ＩＭは、この場合、ＣＳＩフィードバックをするＣＳＩ−ＲＳ（上の例示において、ＣＳＩ−ＲＳ１，２）と対にして（ｐａｉｒｉｎｇ）干渉測定に用いることができる。
【０１３４】
周期的／非周期的フィードバックの対象と設定されたＣＳＩ−ＲＳの場合、該当のフィードバック方法に対するパラメータ（例えば、フィードバックモード、周期、オフセットなど）が設定される必要があるが、これは、図５に示すように、該当のＣＳＩプロセスのデフォルト（ｄｅｆａｕｌｔ）方法を用いることができ、それとも、ＣＳＩ−ＲＳに対して独立して設定されてもよい。
【０１３５】
第２案：チャネル測定／フィードバックに関連した‘状態’を定義し、各ＣＳＩ−ＲＳに‘状態’を設定
【０１３６】
下記のような状態を設定して各ＣＳＩ−ＲＳに指定することによって、各ＣＳＩ−ＲＳに対するフィードバック方法を指定することができる。
【０１３７】
１．活性（Ａｃｔｉｖｅ）：活性状態は、ＣＳＩプロセスに設定された方法によるＣＳＩ測定及びフィードバックの対象、そして垂直ビーム選択などのためのロング−タームＣＳＩ測定の対象となるＣＳＩ−ＲＳである。
【０１３８】
２．非活性（Ｎｏｎ−ａｃｔｉｖｅ）：非活性状態は、ＣＳＩプロセスに設定されているＣＳＩフィードバックには関与せず、単に垂直ビーム選択などのためのロング−タームＣＳＩ測定対象となるＣＳＩ−ＲＳである。
【０１３９】
３．オフ（Ｏｆｆ）：オフ状態は、フィードバック或いはＲＳＲＰなどの測定／フィードバックに関与せず、将来、活性状態／非活性状態に設定されるために事前に端末に指定されたＣＳＩ−ＲＳリソースである。
【０１４０】
図６に、本発明の一実施例に係る一つのＣＳＩプロセスに属した各ＣＳＩ−ＲＳに対する‘状態’設定を示す。
【０１４１】
ＣＳＩプロセスに定義されたＣＳＩ−ＩＭは、この場合、活性状態であるＣＳＩ−ＲＳ（上の例示において、ＣＳＩ−ＲＳ１）と連結されて干渉測定ために用いられ得る。
【０１４２】
この場合、各状態に指定可能なＣＳＩ−ＲＳの個数を限定することができる。例えば、活性状態に設定されるＣＳＩ−ＲＳの個数は１個に、非活性状態に設定されるＣＳＩ−ＲＳの個数は３個に限定することができる。オフ状態に設定されるＣＳＩ−ＲＳはなくてもよい。
【０１４３】
第２案はデフォルトフィードバック方法を有するが、この場合、該当のＣＳＩプロセスに含まれたＣＳＩ−ＲＳは、該当のフィードバック方法を適用できる設定（例えば、同じコードブックにおける設定）において定義されるべきであろう。
【０１４４】
該当のＣＳＩ−ＲＳの状態は、ＲＲＣ、ＭＡＣ或いはＤＣＩで指定することができる。特に、ＤＣＩの場合、非活性状態に指定されたＣＳＩ−ＲＳ内で活性状態となるＣＳＩ−ＲＳを指定し、選択されていないＣＳＩ−ＲＳを非活性化状態と仮定する動作が可能であろう。
【０１４５】
ＣＳＩ−ＲＳ間の階層的構造（ｈｉｅｒａｒｃｈｙ）
【０１４６】
複数個のＣＳＩプロセスが設定された場合或いは１つのＣＳＩプロセスにおいて２つ以上のＣＳＩ−ＲＳが設定された場合、ＣＳＩ−ＲＳ間に伝送リソースが重なることがある。特に、周期的／非周期的ＣＳＩの場合、周期的ＣＳＩ報告と非周期的ＣＳＩ報告に該当するＣＳＩ−ＲＳが異なると、非周期的ＣＳＩ要求のための非周期的ＣＳＩ−ＲＳを送信すべきことがある。この場合、上記非周期的ＣＳＩ−ＲＳリソースが周期的ＣＳＩ−ＲＳリソースと重なると、非周期的ＣＳＩ要求に対するＣＳＩ−ＲＳを送信し、周期的ＣＳＩ報告に対するＣＳＩ−ＲＳをドロップ（ｄｒｏｐ）することが好ましい。
【０１４７】
或いは、あるＣＳＩ−ＲＳは垂直ＣＳＩ−ＲＳ選択のためのロング−タームＣＳＩのためのＣＳＩ−ＲＳであり、他のＣＳＩ−ＲＳは、選択された垂直ビームに対する水平ＣＳＩ測定／伝送のためのショート−タームＣＳＩのためのＣＳＩ−ＲＳであってもよい。この場合、仮にロング−タームＣＳＩのためのＣＳＩ−ＲＳの伝送リソースがショート−タームＣＳＩのためのＣＳＩ−ＲＳリソースと重なると（例えば、時間、周波数、ビームなど）、ロング−タームＣＳＩのためのＣＳＩ−ＲＳを送信し、ショート−タームＣＳＩのためのＣＳＩ−ＲＳをドロップすることができる。すなわち、次のようなＣＳＩ−ＲＳ階層的構造が可能である。
【０１４８】
−  Ｌｅｖｅｌ  ３：非周期的ＣＳＩ−ＲＳ
【０１４９】
−  Ｌｅｖｅｌ  ２：ロング−タームＣＳＩ−ＲＳ
【０１５０】
−  Ｌｅｖｅｌ  １：ショート−タームＣＳＩ−ＲＳ
【０１５１】
上位レベルのＣＳＩ−ＲＳと下位レベルのＣＳＩ−ＲＳの伝送リソースが重なる場合、上位レベルのＣＳＩ−ＲＳを送信し、下位レベルのＣＳＩ−ＲＳをドロップすることができる。
【０１５２】
非周期的ＣＳＩ−ＲＳ
【０１５３】
上記のように１つのＣＳＩプロセスに複数個のＣＳＩ−ＲＳリソースを含む場合、そのうちの一つが非周期的ＣＳＩ−ＲＳである場合もあり、或いは単一の非周期的ＣＳＩ−ＲＳリソース又は設定だけがＣＳＩプロセスに含まれる場合もある。以下の本発明では、前者のように１つのＣＳＩプロセスに複数個のＣＳＩ−ＲＳリソースが含まれた場合を基本的に考慮するか、後者のような場合にも下記の細部技術を適用できることは明らかである。非周期的ＣＳＩ−ＲＳの時間以外の特性（ＲＢにおけるＲＥ位置（マッピング）、伝送サブバンド、スクランブリングＩＤなど）に対する設定は、上位層シグナリングなどで事前に設定することができる。当該非周期的ＣＳＩ−ＲＳは、非周期的ＣＳＩ要求を受信したか否かによって、非周期的ＣＳＩとして測定／送信したり、他の端末のための非周期的ＣＳＩ−ＲＳと見なして無視してもよい。
【０１５４】
非周期的ＣＳＩ−ＲＳは、リソースの設定及び使用方法によって区別することができる。
【０１５５】
第１案：非周期的ＣＳＩ−ＲＳの伝送は、あらかじめ定められているＣＳＩ−ＲＳリソースプール（ｐｏｏｌ）内でなされるようにすることができる。特に、追加のＣＳＩ−ＲＳリソースの使用を避けるために、既に周期的ＣＳＩ−ＲＳ伝送のために割り当てられているリソースを用いて非周期的ＣＳＩ−ＲＳを送信することができる。この場合、非周期的ＣＳＩ−ＲＳの伝送がないと、該当のリソースは既存の周期的ＣＳＩ−ＲＳ伝送に用いられる。本発明の以下では、このように“既に周期的ＣＳＩ−ＲＳ伝送のために割り当てられているリソースを用いて非周期的ＣＳＩ−ＲＳを送信する場合”に基づいて追加技術を説明する。しかし、下記に提案する細部内容は、周期的ＣＳＩ−ＲＳ伝送リソースと分離された独立した非周期的ＣＳＩ−ＲＳ伝送リソースを考慮する場合にも適用することができる。この場合、下記の特定指示子或いは端末動作は、該当の非周期的ＣＳＩ−ＲＳ伝送のみに関連して適用され、他の周期的ＣＳＩ−ＲＳ設定とは無関係に動作され得る。
【０１５６】
基地局は、非周期的ＣＳＩ−ＲＳ指示を端末に送信することによって、該当の非周期的ＣＳＩ−ＲＳの伝送を端末に知らせることができる。上記“非周期的ＣＳＩ−ＲＳ指示”は、“非周期的ＣＳＩ要求”とは分離された明示的シグナリングメッセージであってもよく、この場合、“非周期的ＣＳＩ−ＲＳ指示”は、該当の非周期的ＣＳＩ−ＲＳの実際伝送機会（ｉｎｓｔａｎｃｅ）を示すものとして解釈することができる。又は、“非周期的ＣＳＩ−ＲＳ指示”そのものが別に提供されず、“非周期的ＣＳＩ要求”と連動して暗示的にシグナルされる形態で適用することもできる。上記非周期的ＣＳＩ−ＲＳ指示は、周期的に送信された既存のＣＳＩ−ＲＳの代わりに、既存のＣＳＩ−ＲＳと異なる設定を有する非周期的ＣＳＩ−ＲＳが送信されたということを意味する。このため、端末は該当のサブフレームで送信されたＣＳＩ−ＲＳを周期的ＣＳＩ報告に用いてはならない。その代わりに、該当のサブフレームで送信された非周期的ＣＳＩ−ＲＳは、非周期的ＣＳＩ要求によって非周期的ＣＳＩ要求に用いることができる。すなわち、非周期的ＣＳＩ−ＲＳ指示及び非周期的ＣＳＩ要求の両方を受信した端末であれば、非周期的ＣＳＩ−ＲＳリソースでＣＳＩ−ＲＳが送信されると仮定して、該当の非周期的ＣＳＩ−ＲＳを用いた非周期的ＣＳＩを測定又は送信することができる。また、非周期的ＣＳＩ−ＲＳ指示だけを受信した端末は、当該非周期的ＣＳＩ−ＲＳ指示を動的なゼロパワー（ｚｅｒｏ−ｐｏｗｅｒ；ＺＰ）ＣＳＩ−ＲＳ指示と解釈し、該当のサブフレームで該当の非周期的ＣＳＩ−ＲＳリソースをレートマッチング（ｒａｔｅ  ｍａｔｃｈｉｎｇ）された場合のようにデータが送信されないものと認識し、それに基づいて動作することができる。
【０１５７】
非周期的ＣＳＩ−ＲＳ指示は、ＤＣＩを用いて送信することができる。非周期的ＣＳＩ−ＲＳ指示信号をサブフレームｎで端末が受信したとき、非周期的ＣＳＩ−ＲＳの伝送時点は次のようである。
【０１５８】
１．非周期的ＣＳＩ−ＲＳの伝送時点をサブフレームｎ＋ｐと解釈することができる。このとき、ｐは非周期的ＣＳＩ−ＲＳ伝送遅延であり、ＤＣＩの非周期的ＣＳＩ−ＲＳ指示フィールドにｐを明示的に送信することによって端末に知らせることができる。
【０１５９】
２．別のシグナリング無しで、事前に定義される定数ｐを用いて、サブフレームｎ＋ｐで非周期的ＣＳＩ−ＲＳが送信されると解釈することができる。
【０１６０】
Ａ．特に、ｐ＝０の場合、非周期的ＣＳＩ−ＲＳ指示の伝送タイミングと同じサブフレームに非周期的ＣＳＩ−ＲＳを送信することができる。
【０１６１】
上記の各非周期的ＣＳＩ−ＲＳ伝送時点指示方法によって、該当の信号の構造を次のようにすることができる。
【０１６２】
１．［０，Ｐ］の間の整数、或いは“ｎｏ  ａｐｅｒｉｏｄｉｃ  ＣＳＩ−ＲＳ  ｓｔａｔｅ”を意味する整数をｐとして送信する。Ｐは最大非周期的ＣＳＩ−ＲＳ伝送遅延であり、“ｎｏ  ａｐｅｒｉｏｄｉｃ  ＣＳＩ−ＲＳ  ｓｔａｔｅ”を含めてＰ＋２個の状態、すなわち、合計（ｌｏｇ２（Ｐ＋２））ビットが必要である。次表にＰ＝６の場合における例示を整理する。
【０１６３】
【表８】
2018522474.tif 000026
【０１６４】
或いは、遅延の代わりに、非周期的ＣＳＩ−ＲＳ指示受信時点を基準に前に送信された非周期的ＣＳＩ−ＲＳを示すことができる。この場合、非周期的ＣＳＩ−ＲＳの伝送時点はサブフレームｎ−ｐ時点と解釈され、上記の表１０のような表をそのまま使用することができる。この場合、上記表の意味は、非周期的ＣＳＩ−ＲＳ伝送遅延の代わりに非周期的ＣＳＩ−ＲＳ機会指示になり得る。
【０１６５】
上記非周期的ＣＳＩ−ＲＳ機会指示子は、表１１のような非周期的ＣＳＩ−ＲＳリソース単位で知らせることができる。すなわち、該当のフィールド値によって、端末は非周期的ＣＳＩ−ＲＳ指示受信時点を基準に一番目の非周期的ＣＳＩ−ＲＳ、或いは二番目の非周期的ＣＳＩ−ＲＳを用いた非周期的ＣＳＩを報告することができる。
【０１６６】
【表９】
2018522474.tif 000027
【０１６７】
２．または、基地局は非周期的ＣＳＩ−ＲＳ指示として｛０，１｝で非周期的ＣＳＩ−ＲＳのオン／オフ指示だけを送信することができる。その例は次のとおりである。
【０１６８】
【表１０】
2018522474.tif 000028
【０１６９】
上記ＤＣＩは、ＳＩ−ＲＮＴＩを用いたセル−共通ＤＣＩで送信することができる。この場合、上記非周期的ＣＳＩ−ＲＳ指示は、ＤＣＩ  １Ａ、１Ｃなどを通じて、該当のセルのセルＩＤを使用する端末は該当のＤＣＩを受信して使用することができる。この場合、基地局は既存ＤＣＩに追加された空間で該当の非周期的ＣＳＩ−ＲＳ指示を端末に送信することができる。この空間の大きさは上述した非周期的ＣＳＩ−ＲＳ伝送時点の指示方法によって決定される。
【０１７０】
或いは、該当の非周期的ＣＳＩ−ＲＳ指示は、ＤＣＩ  １ＡにＳＩ−ＲＮＴＩを使用する時に予備（ｒｅｓｅｒｖｅ）される空間の一部空間を用いて送信することができる。例えば、図７のようにＳＩ−ＲＮＴＩが用いられる場合、ＨＡＲＱプロセス番号（ＦＤＤのために３ビット、ＴＤＤのために４ビットと定義される。）、下りリンク割り当てインデックス（ＴＤＤだけのために２ビットと定義される。）に該当する空間が予備される。非周期的ＣＳＩ−ＲＳ（リソース）がＫ個定義されると、該当の予備された空間のうちのＫ個のビットを用いてビットマップ形式でそれぞれのオン／オフをセル内端末に知らせることができるだろう。ここで、Ｋは利用可能な空間より小さいか又は等しい必要がある。仮に、ＦＤＤであるとともに、ＨＡＲＱプロセス番号に対応する空間を使用する場合であれば、Ｋ＜＝３であってもよい。
【０１７１】
または、上記非周期的ＣＳＩ−ＲＳ指示は、ＤＣＩフォーマット３／３ＡのようなＤＣＩを用いてブロードキャストすることができる。
【０１７２】
この場合、ＳＩ−ＲＮＴＩのようなブロードキャスト用ＲＮＴＩ、或いは該当の情報だけのための非周期的−ＣＳＩ−ＲＳ−ＲＮＴＩのような別のＲＮＴＩを用いてＤＣＩを送信することができる。
【０１７３】
或いは、上記ＤＣＩは、Ｃ−ＲＮＴＩを用いてＵＥ−特定ＤＣＩで送信することができる。この場合、基地局は、既存ＤＣＩに追加された空間で該当の非周期的ＣＳＩ−ＲＳ指示を端末に送信することができる。特に、上りリンクＤＣＩ（ＤＣＩフォーマット０、４）を用いて、非周期的ＣＳＩ要求と共に送信することができる。この空間の大きさは上述した非周期的ＣＳＩ−ＲＳ伝送時点の指示方法によって決定される。
【０１７４】
仮に非周期的ＣＳＩ−ＲＳ指示と非周期的ＣＳＩ要求の両方を受信した端末であれば、該当の時点の非周期的ＣＳＩ−ＲＳリソースでＣＳＩ−ＲＳが送信されると仮定して、該当の非周期的ＣＳＩ−ＲＳを用いた非周期的ＣＳＩを測定／送信する。特に、ＣＳＩ平均（ａｖｅｒａｇｅ）を行っていた端末は、この場合には該当のサブフレームを周期的ＣＳＩ平均に使用せず、また、該当の非周期的ＣＳＩ−ＲＳを用いてＲＲＭ測定を行う端末は、該当の非周期的ＣＳＩ−ＲＳリソースで送信されるＣＳＩ−ＲＳをＲＲＭ測定に使用しない。
【０１７５】
特定サブフレームで、非周期的ＣＳＩ−ＲＳ指示だけを受信し、非周期的ＣＳＩ要求を受信できなかった端末は、当該非周期的ＣＳＩ−ＲＳ指示を動的ＺＰ  ＣＳＩ−ＲＳ指示と解釈することができる。すなわち、端末は、該当のサブフレームで該当の非周期的ＣＳＩ−ＲＳリソースをレートマッチングされたものと仮定して、ＣＳＩ−ＲＳが送信されていないかのように動作することができる。上の場合のようにＣＳＩ平均を行っていた端末は、この場合に、該当のサブフレームをＣＳＩ平均に使用せず、また、該当の周期的ＣＳＩ−ＲＳを用いてＲＲＭ（ｒａｄｉｏ  ｒｅｓｏｕｒｃｅ  ｍａｎａｇｅｍｅｎｔ）測定を行う端末は、該当の非周期的ＣＳＩ−ＲＳリソースで送信されるＣＳＩ−ＲＳをＲＲＭ測定に使用しない。
【０１７６】
非周期的ＣＳＩ要求を受信した端末は、下記のような条件を満たす非周期的ＣＳＩ−ＲＳが存在するとき、当該非周期的ＣＳＩ−ＲＳに対する非周期的ＣＳＩを報告又は送信する。このとき、端末が非周期的ＣＳＩ−ＲＳ伝送の後に非周期的ＣＳＩ要求を受信した状況を考慮する。上記条件を図８に例示する。
【０１７７】
−  非周期的ＣＳＩ要求受信時点以前のＫサブフレーム以内に送信されており、
【０１７８】
−  前に非周期的ＣＳＩ報告に用いられていない非周期的ＣＳＩ−ＲＳが送信される。
【０１７９】
この場合、基地局は、非周期的ＣＳＩ−ＲＳ指示を送信してから次の非周期的ＣＳＩ−ＲＳ指示を送信する前に該当の端末に非周期的ＣＳＩ要求を送信し、非周期的ＣＳＩが正しい非周期的ＣＳＩ−ＲＳを参照できるようにすることができる。
【０１８０】
或いは、下記のような条件を満たす非周期的ＣＳＩ−ＲＳが存在するとき、当該非周期的ＣＳＩ−ＲＳに対する非周期的ＣＳＩを送信することができる。このとき、端末が非周期的ＣＳＩ−ＲＳ伝送後に非周期的ＣＳＩ要求を受信した状況を考慮する。上記条件を図９に例示する。
【０１８１】
−  非周期的ＣＳＩ要求受信時点以前のＫサブフレーム以内に非周期的ＣＳＩ−ＲＳ指示を受信しており、
【０１８２】
−  非周期的ＣＳＩ要求受信時点以降のＬサブフレーム以内に送信される予定である非周期的ＣＳＩ−ＲＳが送信される。
【０１８３】
上記Ｋ及びＬ値は、非周期的ＣＳＩ−ＲＳ有効区間（ｖａｌｉｄ  ｐｅｒｉｏｄ）を意味し、事前に定義されてもよく、上位層シグナリングで端末に送信されてもよい。上記に該当する非周期的ＣＳＩ−ＲＳがない場合、端末は、非周期的ＣＳＩ要求に指定されたＣＳＩプロセスに含まれた他のＣＳＩ−ＲＳのうち、非周期的ＣＳＩの対象として設定されたＣＳＩ−ＲＳ、例えば、既存の周期的ＣＳＩ−ＲＳに対する非周期的ＣＳＩを送信することができる。
【０１８４】
特に、非周期的ＣＳＩ要求が非周期的ＣＳＩ−ＲＳ指示の機能を行うように設定されてもよい。この場合、非周期的ＣＳＩ要求の受信時点をサブフレームｎとしたとき、サブフレームｎから非周期的ＣＳＩ−ＲＳが送信される時点であるサブフレームｎ−ｋが定義される必要がある。これは、次表のように非周期的ＣＳＩ要求で指定されてもよく、或いは事前に定義（例えば、ｋ＝０であり、非周期的ＣＳＩ要求が送信／受信されるサブフレームで非周期的ＣＳＩ−ＲＳが受信される。）されてもよい。
【０１８５】
【表１１】
2018522474.tif 000029
【０１８６】
非周期的ＣＳＩ要求に非周期的ＣＳＩ−ＲＳ指示が含まれる場合にも非周期的ＣＳＩ−ＲＳ指示を別途に送信することができるが、この場合には、別途に送信される非周期的ＣＳＩ−ＲＳ指示は上記動的なＺＰ−ＣＳＩ−ＲＳ指示としてのみ用いられる。
【０１８７】
第２案：非周期的ＣＳＩ−ＲＳのための別途のリソースプール（ｐｏｏｌ）を設定するなどの方法であり、非周期的ＣＳＩ−ＲＳのための別途の非周期的ＣＳＩ−ＲＳリソースを設定することができる。当該ＣＳＩ−ＲＳリソースをＲＲＣのような上位層シグナリングなどで端末に設定することができる。これは、当該非周期的ＣＳＩ−ＲＳリソースで非周期的ＣＳＩ−ＲＳが送信されない時の動作によって下記のように区別することができる。
【０１８８】
２−１．非周期的ＣＳＩ−ＲＳが送信されない時は、該当のリソースをデータ伝送などの他の用途に用いることができる。
【０１８９】
逆に、該当のリソースで非周期的ＣＳＩ−ＲＳが送信される時は、該当のリソースの非周期的ＣＳＩ−ＲＳ指示をＺＰ−ＣＳＩ−ＲＳのように解釈して動作することができる。すなわち、非周期的ＣＳＩ−ＲＳが送信される時に、当該非周期的ＣＳＩ−ＲＳを使用しない端末が非周期的ＣＳＩ−ＲＳ指示を受信した場合、該当のリソースがレートマッチングされたと見なすことができる。
【０１９０】
２−２．非周期的ＣＳＩ−ＲＳが送信されない時、該当のリソースは予備される。すなわち、該当のリソースは非周期的ＣＳＩ−ＲＳ以外の用途には用いられない。
【０１９１】
上記の第２案の非周期的ＣＳＩ−ＲＳを用いた動作も、第１案の方法をそのまま用いることができる。すなわち、非周期的ＣＳＩ−ＲＳ指示と非周期的ＣＳＩ要求の両方を受信した端末であれば、上の第１案の動作と同様に、非周期的ＣＳＩ−ＲＳリソースで非周期的ＣＳＩ−ＲＳが送信されると仮定して、該当の非周期的ＣＳＩ−ＲＳを用いた非周期的ＣＳＩを測定／報告する。また、非周期的ＣＳＩ−ＲＳ指示だけを受信した端末は、当該非周期的ＣＳＩ−ＲＳ指示を動的なＺＰ  ＣＳＩ−ＲＳ指示と解釈して、該当のサブフレームで、当該非周期的ＣＳＩ−ＲＳリソースがレートマッチングされた場合のように、データが送信されていないかのように動作することができる。
【０１９２】
上記非周期的ＣＳＩ−ＲＳリソースの設定形態として次のような方法を考慮することができる。
【０１９３】
●非周期的ＣＳＩ−ＲＳ伝送のために周期的リソースを設定
【０１９４】
−  この場合、非周期的ＣＳＩ−ＲＳの伝送位置は、事前に設定された非周期的ＣＳＩ−ＲＳリソース単位で知らせることができる。
【０１９５】
●非周期的ＣＳＩ−ＲＳ伝送のための非周期的リソースを設定
【０１９６】
−  非周期的ＣＳＩ−ＲＳ伝送サブフレームをビットマップ（例えば、サブフレームごとに）直接設定することができる。
【０１９７】
−  周期的ＣＳＩ−ＲＳ伝送位置を設定するが、送信しないサブフレームを事前に定義したり、ビットマップで設定することができる。
【０１９８】
●非周期的ＣＳＩ−ＲＳ伝送タイミングを直接指示
【０１９９】
−  非周期的ＣＳＩ−ＲＳ伝送タイミングは事前に定義されず、事前に設定された非周期的ＣＳＩ−ＲＳリソースで実際に非周期的ＣＳＩ−ＲＳの伝送がなされる機会（ｉｎｓｔａｎｃｅ）を、非周期的ＣＳＩ−ＲＳ指示などで直接知らせることができる。このような指示は、次に説明する非周期的ＣＳＩ−ＲＳ指示で行うことができる。
【０２００】
上記のような形態の非周期的ＣＳＩ−ＲＳ設定は事前に定義されてもよく、ＲＲＣなどの上位層シグナリングで端末に設定されてもよい。
【０２０１】
非周期的ＣＳＩ−ＲＳ指示は、前述した第１案のようにＤＣＩを用いて送信されてもよく、非周期的ＣＳＩ−ＲＳ指示信号をサブフレームｎで端末が受信した時、非周期的ＣＳＩ−ＲＳの伝送時点は下記のとおりであってもよい。
【０２０２】
１．非周期的ＣＳＩ−ＲＳの伝送時点をサブフレームｎ＋ｐと解釈することができる。このとき、ｐは非周期的ＣＳＩ−ＲＳ伝送遅延であり、ＤＣＩの非周期的ＣＳＩ−ＲＳ指示フィールドにｐを明示的に送信することによって端末に知らせることができる。
【０２０３】
２．別途のシグナリング無しで、事前に定義される定数ｐを用いて、サブフレームｎ＋ｐで非周期的ＣＳＩ−ＲＳが送信されると解釈することができる。
【０２０４】
Ａ．特に、ｐ＝０の場合、非周期的ＣＳＩ−ＲＳ指示の伝送タイミングと同じサブフレームで非周期的ＣＳＩ−ＲＳを送信することができる。
【０２０５】
上記それぞれの非周期的ＣＳＩ−ＲＳ伝送時点指示方法によって、該当の信号の構造を次のようにすることができる。
【０２０６】
１．［０，Ｐ］の間の整数、或いは“ｎｏ  ａｐｅｒｉｏｄｉｃ  ＣＳＩ−ＲＳ  ｓｔａｔｅ”を意味する整数をｐとして送信する。Ｐは最大非周期的ＣＳＩ−ＲＳ伝送遅延であり、“ｎｏ  ａｐｅｒｉｏｄｉｃ  ＣＳＩ−ＲＳ  ｓｔａｔｅ”を含めてＰ＋２個の状態、すなわち、合計（ｌｏｇ２（Ｐ＋２））ビットが必要である。表１０を参照できる。
【０２０７】
或いは、遅延の代わりに、非周期的ＣＳＩ−ＲＳ指示受信時点を基準に、以前に送信された非周期的ＣＳＩ−ＲＳを示すことができる。この場合、非周期的ＣＳＩ−ＲＳの伝送時点はサブフレームｎ−ｐ時点と解釈され、上記の表１０のような表をそのまま使用することができる。この場合、上記表の意味は、非周期的ＣＳＩ−ＲＳ伝送遅延の代わりに非周期的ＣＳＩ−ＲＳ機会指示になり得る。
【０２０８】
上記非周期的ＣＳＩ−ＲＳ機会指示子は、表１１のように非周期的ＣＳＩ−ＲＳリソース単位で知らせることができる。すなわち、該当のフィールド値によって端末は非周期的ＣＳＩ−ＲＳ指示受信時点を基準に一番目の非周期的ＣＳＩ−ＲＳ、或いは二番目の非周期的ＣＳＩ−ＲＳを用いた非周期的ＣＳＩを報告することができる。
【０２０９】
２．または、基地局は非周期的ＣＳＩ−ＲＳ指示として、｛０，１｝で非周期的ＣＳＩ−ＲＳのオン／オフ指示だけを送信することができる。その例は次のとおりである。
【０２１０】
上記ＤＣＩは、ＳＩ−ＲＮＴＩを用いたセル−共通ＤＣＩで送信することができる。この場合、上記非周期的ＣＳＩ−ＲＳ指示は、ＤＣＩ  １Ａ、１Ｃなどを通じて、該当のセルのセルＩＤを使用する端末は該当のＤＣＩを受信して使用することができる。この場合、基地局は既存ＤＣＩに追加された空間で該当の非周期的ＣＳＩ−ＲＳ指示を端末に送信することができる。この空間の大きさは上述した非周期的ＣＳＩ−ＲＳ伝送時点の指示方法によって決定される。
【０２１１】
或いは、該当の非周期的ＣＳＩ−ＲＳ指示は、ＤＣＩ  １ＡにＳＩ−ＲＮＴＩを使用する時に予備（ｒｅｓｅｒｖｅ）される空間の一部空間を用いて送信することができる。例えば、図７のようにＳＩ−ＲＮＴＩが用いられる場合、ＨＡＲＱプロセス番号（ＦＤＤのために３ビット、ＴＤＤのために４ビットで定義される。）、下りリンク割り当てインデックス（ＴＤＤだけのために２ビットで定義される。）に該当する空間が予備される。非周期的ＣＳＩ−ＲＳ（リソース）がＫ個定義される場合には、該当の予備された空間のうちのＫ個のビットを用いてビットマップ形式でそれぞれのオン／オフをセル内端末に知らせることができるだろう。ここで、Ｋは利用可能な空間より小さいか等しい必要がある。仮に、ＦＤＤであるとともに、ＨＡＲＱプロセス番号に対応する空間を使用する場合であれば、Ｋ＜＝３であってもよい。
【０２１２】
または、上記非周期的ＣＳＩ−ＲＳ指示は、ＤＣＩフォーマット３／３ＡのようなＤＣＩを用いてブロードキャストすることができる。
【０２１３】
この場合、ＳＩ−ＲＮＴＩのようなブロードキャスト用ＲＮＴＩ、或いは、該当の情報だけのための非周期的−ＣＳＩ−ＲＳ−ＲＮＴＩのような別のＲＮＴＩを用いてＤＣＩを送信することができる。
【０２１４】
或いは、上記ＤＣＩは、Ｃ−ＲＮＴＩを用いてＵＥ−特定ＤＣＩで送信することができる。この場合、基地局は、既存ＤＣＩに追加された空間で、該当の非周期的ＣＳＩ−ＲＳ指示を端末に送信することができる。特に、上りリンクＤＣＩ（ＤＣＩフォーマット０、４）を用いて、非周期的ＣＳＩ要求と共に送信することができる。この空間の大きさは、上述した非周期的ＣＳＩ−ＲＳ伝送時点の指示方法によって決定される。
【０２１５】
仮に、非周期的ＣＳＩ−ＲＳ指示と非周期的ＣＳＩ要求の両方を受信した端末であれば、該当の時点の非周期的ＣＳＩ−ＲＳリソースでＣＳＩ−ＲＳが送信されると仮定して、該当の非周期的ＣＳＩ−ＲＳを用いた非周期的ＣＳＩを測定／送信する。特に、ＣＳＩ平均（ａｖｅｒａｇｅ）を行っていた端末は、この場合には、該当のサブフレームを周期的ＣＳＩ平均に使用せず、また、該当の非周期的ＣＳＩ−ＲＳを用いてＲＲＭ測定を行う端末は、該当の非周期的ＣＳＩ−ＲＳリソースで送信されるＣＳＩ−ＲＳをＲＲＭ測定に使用しない。
【０２１６】
特定サブフレームで、非周期的ＣＳＩ−ＲＳ指示だけを受信し、非周期的ＣＳＩ要求を受信していない端末は、該当の非周期的ＣＳＩ−ＲＳ指示を動的ＺＰ  ＣＳＩ−ＲＳ指示と解釈することができる。すなわち、端末は、該当のサブフレームで該当の非周期的ＣＳＩ−ＲＳリソースをレートマッチングされたものと仮定して、ＣＳＩ−ＲＳが送信されていないかのように動作することができる。上記の場合のようにＣＳＩ平均を行っていた端末は、この場合に、該当のサブフレームをＣＳＩ平均に使用せず、また、該当の周期的ＣＳＩ−ＲＳを用いてＲＲＭ（ｒａｄｉｏ  ｒｅｓｏｕｒｃｅ  ｍａｎａｇｅｍｅｎｔ）測定を行う端末は、該当の非周期的ＣＳＩ−ＲＳリソースで送信されるＣＳＩ−ＲＳをＲＲＭ測定に使用しない。
【０２１７】
非周期的ＣＳＩ要求も上述した第１案と同様の方式を用いることができる。すなわち、次のような条件を満たす非周期的ＣＳＩ−ＲＳが存在するとき、端末は、該当の非周期的ＣＳＩ−ＲＳに対する非周期的ＣＳＩを報告又は送信する。このとき、端末が基地局の非周期的ＣＳＩ−ＲＳ伝送以降に非周期的ＣＳＩ要求を受信した状況を考慮する。
【０２１８】
−  非周期的ＣＳＩ要求受信時点以前のＫサブフレーム以内に送信されており、
【０２１９】
−  以前に非周期的ＣＳＩ報告に用いられなかった非周期的ＣＳＩ−ＲＳが送信される。
【０２２０】
この場合、基地局は、非周期的ＣＳＩ−ＲＳ指示を送信してから次の非周期的ＣＳＩ−ＲＳ指示を送信する前に、該当の端末に非周期的ＣＳＩ要求を送信し、非周期的ＣＳＩが正しい非周期的ＣＳＩ−ＲＳを参照できるようにすることができる。
【０２２１】
或いは、次のような条件を満たす非周期的ＣＳＩ−ＲＳが存在するとき、該当の非周期的ＣＳＩ−ＲＳに対する非周期的ＣＳＩを送信することができる。このとき、端末が非周期的ＣＳＩ−ＲＳ伝送以降に非周期的ＣＳＩ要求を受信した状況を考慮する。図９に上記条件を例示する。
【０２２２】
−  非周期的ＣＳＩ要求受信時点以前のＫサブフレーム以内に非周期的ＣＳＩ−ＲＳ指示を受信しており、
【０２２３】
−  非周期的ＣＳＩ要求受信時点以降のＬサブフレーム以内に送信される予定である非周期的ＣＳＩ−ＲＳが送信される。
【０２２４】
上記Ｋ及びＬ値は非周期的ＣＳＩ−ＲＳ有効区間（ｖａｌｉｄ  ｐｅｒｉｏｄ）を意味し、事前に定義されてもよく、上位層シグナリングで端末に送信されてもよい。上記に該当する非周期的ＣＳＩ−ＲＳがない場合、端末は、非周期的ＣＳＩ要求に指定されたＣＳＩプロセスに含まれた他のＣＳＩ−ＲＳのうち、非周期的ＣＳＩの対象として設定されたＣＳＩ−ＲＳ、例えば、既存の周期的ＣＳＩ−ＲＳに対する非周期的ＣＳＩを送信することができる。
【０２２５】
特に、非周期的ＣＳＩ要求が非周期的ＣＳＩ−ＲＳ指示の機能を行うように設定されてもよい。この場合、非周期的ＣＳＩ要求の受信時点をサブフレームｎとしたとき、サブフレームｎから非周期的ＣＳＩ−ＲＳが送信される時点であるサブフレームｎ−ｋが定義される必要がある。これは、表１３のように非周期的ＣＳＩ要求で指定されてもよく、或いは事前に定義（例えば、ｋ＝０であり、非周期的ＣＳＩ要求が送信／受信されるサブフレームで非周期的ＣＳＩ−ＲＳが受信される。）されてもよい。
【０２２６】
非周期的ＣＳＩ要求に非周期的ＣＳＩ−ＲＳ指示が含まれる場合にも非周期的ＣＳＩ−ＲＳ指示を別途に送信することができるが、この場合には、非周期的ＣＳＩ−ＲＳ指示は動的ＺＰ−ＣＳＩ−ＲＳ指示としてのみ用いられる。
【０２２７】
複数の非周期的ＣＳＩ−ＲＳ伝送の処理
【０２２８】
非周期的ＣＳＩ−ＲＳが２つ以上の端末のために送信され、各端末に対する非周期的ＣＳＩ−ＲＳ伝送時点が隣接している場合、端末の立場で上記条件を満たす非周期的ＣＳＩ−ＲＳが複数個存在し得る。特に、同じリソースを非周期的ＣＳＩ−ＲＳのために使用する場合、このように端末に非周期的ＣＳＩを送信すると、端末は、送信された複数の非周期的ＣＳＩ−ＲＳのうちいずれの非周期的ＣＳＩ−ＲＳに対する非周期的ＣＳＩを送信すべきかを判断する必要がある。
【０２２９】
このために次のような方法を用いることができる。
【０２３０】
１．基地局が非周期的ＣＳＩ要求で、該当の端末が非周期的ＣＳＩ報告のために参照する非周期的ＣＳＩ−ＲＳを直接指定することができる。このために、非周期的ＣＳＩ要求が含まれたＤＣＩに、上記非周期的ＣＳＩ−ＲＳ指示における非周期的ＣＳＩ−ＲＳ伝送機会指示のようなフィールドを追加することができる。
【０２３１】
例えば、非周期的ＣＳＩ−ＲＳ伝送機会指示の構造を次のようにすることができる。非周期的ＣＳＩ−ＲＳ伝送機会指示は、非周期的ＣＳＩ−ＲＳ指示受信時点を基準に、以前に送信された非周期的ＣＳＩ−ＲＳを指示することができる。この場合、非周期的ＣＳＩ−ＲＳの伝送時点はサブフレームｎ−ｐと解釈され、次表のように定義することができる。ｐは最大非周期的ＣＳＩ−ＲＳ伝送遅延であり、（ｌｏｇ２（Ｐ＋２））ビットが必要である。次表にはｐ＝７の場合の例示を整理した。
【０２３２】
【表１２】
2018522474.tif 000030
【０２３３】
２．非周期的ＣＳＩ要求に非周期的ＣＳＩ−ＲＳ指示を含めることができる。例えば、非周期的ＣＳＩ要求の受信時点がサブフレームｎであり、非周期的ＣＳＩ−ＲＳの受信時点がサブフレームｎ−ｋであるとき、非周期的ＣＳＩ要求の状態に対する設定を下記のようにＲＲＣなどで設定することができる。
【０２３４】
【表１３】
2018522474.tif 000031
【０２３５】
上の例示で、ＣＳＩプロセス１に非周期的ＣＳＩ−ＲＳが含まれている場合、基地局は非周期的ＣＳＩ要求でインデックス“１１”を送信し、サブフレームｎ−４で送信された非周期的ＣＳＩ−ＲＳを基準に非周期的ＣＳＩの報告を受けることができる。
【０２３６】
３．上記非周期的ＣＳＩ−ＲＳ指示を用いて測定対象ＣＳＩ−ＲＳを選択する代わりに、非周期的ＣＳＩ−ＲＳリソースを複数個設定することによって非周期的ＣＳＩ−ＲＳのあいまいさ（ａｍｂｉｇｕｉｔｙ）を減らすことができる。このような複数の非周期的ＣＳＩ−ＲＳリソースは、個別のＲＥ位置にマップされてもよく、或いは、同一のＲＥ位置にマップされるが、伝送周期とオフセットなどを異ならせて個別のタイミングに送信されるように設定されてもよい。例えば、仮に２つの非周期的ＣＳＩ−ＲＳリソースが同一のＲＥ位置を共有するように設定されたとすれば、各非周期的ＣＳＩ−ＲＳリソースは時間軸で交互に設定される。
【０２３７】
上記の“３”の方式において、基本的に端末は自身に設定された非周期的ＣＳＩ−ＲＳリソースに対する非周期的ＣＳＩを送信するが、端末に２つ以上の非周期的ＣＳＩ−ＲＳリソース（特に、１つのＣＳＩプロセス内で）が設定されたとすれば、後の非周期的ＣＳＩ要求では、非周期的ＣＳＩ−ＲＳリソースのうちいずれのリソースに対する非周期的ＣＳＩを報告すべきかを知らせることができる。次表は、非周期的ＣＳＩ要求において特定非周期的ＣＳＩ−ＲＳリソースを指示する例を示す。
【０２３８】
【表１４】
2018522474.tif 000032
【０２３９】
或いは、非周期的ＣＳＩ要求とは独立した非周期的ＣＳＩ−ＲＳ指示が送信されてもよい。
【０２４０】
上記において、“２つ以上の非周期的ＣＳＩ−ＲＳリソースに関する動作”、同じ動作を表現する他の方法として、“１つの非周期的ＣＳＩ−ＲＳリソースに対してこれが有し得る２つ以上の特定設定（例えば、ＲＥ／タイミングパターン、アンテナポート数、アンテナポートサブセットなど）候補集合を上位層信号で設定した状態でＤＣＩでこれを動的に指示する動作”と適用されてもよいことは明らかである。特に、タイミングパターンは、上述したように、非周期的ＣＳＩ−ＲＳの伝送時点を知らせ、特に、１つではなく複数個の時点を含むことができる。このとき、上記タイミングパターンとしてｎａｐ個の非周期的ＣＳＩ−ＲＳの伝送時点を知らせる時、非周期的ＣＳＩ−ＲＳ指示を端末が受信した時点を含めて合計（ｎａｐ＋１）個の非周期的ＣＳＩ−ＲＳが送信されると解釈することができる。
【０２４１】
例えば、非周期的ＣＳＩ−ＲＳの柔軟性（ｆｌｅｘｉｂｉｌｉｔｙ）のために、１つの非周期的ＣＳＩ−ＲＳ（又は、リソース）に複数個の設定（例えば、ＲＥ／タイミングパターン、アンテナポート数、アンテナポートサブセットなどを含む。）を設定し、ＤＣＩのようなシグナリングでその一つを選択して、実際に非周期的ＣＳＩ−ＲＳ伝送に用いられた設定を端末に知らせることができる。また、１つのＣＳＩプロセス内に２つ以上の非周期的ＣＳＩ−ＲＳリソースが存在する場合、各リソースに対してそれぞれの設定を独立して与えることができ、特に、各設定は候補集合（例えば、ＲＥ／タイミングパターン、アンテナポート数、アンテナポートサブセットなど）と定義され、基地局で実際非周期的ＣＳＩ−ＲＳ伝送に用いられた特定設定をＤＣＩのような方法で指定することができる。また、例えば、ＤＣＩで‘１０’状態が動的に指示されると、端末は、上記各非周期的ＣＳＩ−ＲＳリソース別に独立して設定された２つ以上の設定候補集合の中で‘１０’状態に該当する集合を適用して該当の非周期的ＣＳＩ−ＲＳを測定するようにする。
【０２４２】
或いは、ＣＳＩプロセス内に２つ以上の非周期的ＣＳＩ−ＲＳリソースが存在する場合、ＣＳＩプロセスにおける全ての（又は、一部の）設定された非周期的ＣＳＩ−ＲＳリソース間に共通の非周期的ＣＳＩリソース設定（例えば、ＲＥ／タイミングパターン、アンテナポート数、アンテナポートサブセットなど）が存在し、該当の設定は複数個の候補集合（例えば、ＲＥ／タイミングパターン、アンテナポート数、アンテナポートサブセットなど）に設定され、基地局で実際に非周期的ＣＳＩ−ＲＳ伝送に用いられた特定設定を非周期的ＤＣＩのような方法で示すことができる。
【０２４３】
上の方法に続いて、一部の特性はＲＲＣシグナリングとしてＣＳＩプロセスにおける各非周期的ＣＳＩ−ＲＳリソースに対して特定パラメータに対する設定（例えば、アンテナポート数）が半−静的に定義され、その他のパラメータに対してはＣＳＩプロセスにおける全ての（又は、一部の）設定された非周期的ＣＳＩ−ＲＳリソース間に共通の複数個の非周期的ＣＳＩ−ＲＳリソース設定候補集合（例えば、ＲＥ／タイミングパターン、アンテナポート数、アンテナポートサブセットなど）を定義し、基地局で実際に非周期的ＣＳＩ−ＲＳ伝送に用いられた特定設定を非周期的ＤＣＩのような方法で指定することができる。また、例えば、ＤＣＩで‘１０’状態が動的に指示されると、端末は、上記共通に設定された候補集合の中で‘１０’状態に該当する集合を適用し、上記各非周期的ＣＳＩ−ＲＳリソース別に独立して設定された２つ以上の上記設定候補集合の中で‘１０’状態に該当する集合を適用して、（ＣＳＩプロセスにおける）非周期的ＣＳＩ−ＲＳを測定するようにする。
【０２４４】
また、非周期的ＣＳＩフィードバックの対象となる非周期的ＣＳＩ−ＲＳが２つ以上存在する場合、最後に送信された非周期的ＣＳＩ−ＲＳだけをＣＳＩの測定に使用することができる。例えば、非周期的ＣＳＩ要求がサブフレームｎで送信されたとき、非周期的ＣＳＩがサブフレームｎ−４とサブフレームｎ−２で送信されると（Ｋ＞＝４、Ｌ＝０）、端末は非周期的ＣＳＩのためにサブフレームｎ−２で送信された非周期的ＣＳＩ−ＲＳを使用することができる。これは、端末の有しているバッファにまず、サブフレームｎ−４で送信された非周期的ＣＳＩ−ＲＳを保存するが、サブフレームｎ−２で送信された非周期的ＣＳＩ−ＲＳに変える方式によって具現することができる。
【０２４５】
或いは、より良好なチャネル測定性能のために、端末は、上記で指定された区間内に存在する非周期的ＣＳＩ−ＲＳを全部用いて非周期的ＣＳＩを計算することができる。このために、両非周期的ＣＳＩ−ＲＳを、同一のアンテナポート設定（例えば、アンテナポート数、アンテナポートサブセット）を有するように定義／設定することができる。
【０２４６】
特に、２つ以上の異なるアンテナポート設定を有する非周期的ＣＳＩ−ＲＳである場合、各アンテナポートに対する測定結果を集成（ａｇｇｒｅｇａｔｅ）したチャネル測定結果を端末が計算及び報告することができる。例えば、総１２個のアンテナポートに対するＣＳＩを測定するために、４ポート−非周期的ＣＳＩ−ＲＳと８ポート−非周期的ＣＳＩ−ＲＳを送信し、端末はこれら２つの非周期的ＣＳＩ−ＲＳの測定結果を連接して総１２個のアンテナポートに対するＣＳＩを基地局に報告することができる。
【０２４７】
また、上の例において、端末は、前の４ポート−非周期的ＣＳＩ−ＲＳに対するＣＳＩと８ポート−非周期的ＣＳＩ−ＲＳに対するＣＳＩをそれぞれ独立して計算した後、１つの非周期的ＣＳＩに２つのＣＳＩを全て報告したり、２つのＣＳＩのうちベスト（ｂｅｓｔ）を選んで該当の設定及び該当の設定に対するＣＳＩ（すなわち、ベストＣＳＩ）を報告することができる。
【０２４８】
特に、非周期的ＣＳＩ−ＲＳによるオーバーヘッド減少のために、端末に送信される非周期的ＣＳＩ−ＲＳは（ＲＲＣで設定されたアンテナポートの数に対して）一部のアンテナポートでのみ送信されてもよく、このために、端末に、該当の非周期的ＣＳＩ−ＲＳに関する非周期的ＣＳＩ−ＲＳ指示で、該当の非周期的ＣＳＩ−ＲＳに送信されるアンテナポートサブセットを知らせることができる。
【０２４９】
このために、事前に定義されたり或いはＲＲＣシグナリングなどの上位層シグナリングで定義されたアンテナポートサブセットが端末に与えられる。例えば、２ビットの指示を使用するとき、アンテナポートサブセットを下記のように設定することができる。
【０２５０】
第１案．  非周期的ＣＳＩ−ＲＳ；リソース−共通設定：
【０２５１】
Ａ．非周期的ＣＳＩ−ＲＳリソースの全てに共通して定義されるアンテナポートサブセットを定義することができる。例えば、“アンテナポートの数”をＲＲＣシグナリングで各非周期的ＣＳＩ−ＲＳリソース別に半−静的に設定することができる。次表は、“アンテナポートの数”が８個であり、共通に該当の非周期的ＣＳＩ−ＲＳリソース間に設定された状態を例示する。
【０２５２】
【表１５】
2018522474.tif 000033
【０２５３】
Ｂ．非周期的ＣＳＩ−ＲＳの特性のうちの一部のパラメータ（例えば、アンテナポート数）がリソース−特定に定義され、該当のパラメータによる設定候補集合が（ＣＳＩプロセスにおける）非周期的ＣＳＩ−ＲＳ間に共通に定義されて、ＤＣＩで指示されてもよい。
【０２５４】
【表１６】
2018522474.tif 000034
【０２５５】
第２案．  非周期的ＣＳＩ−ＲＳ；リソース−特定設定（アンテナポートサブセットによって）
【０２５６】
Ａ．非周期的ＣＳＩ−ＲＳリソースごとに独立したアンテナポートサブセット設定を与えることができる。これは、上記の表１６及び表１７のような設定表が特定ＤＣＩによって動的に指示される時、該当の状態が上記リソース−特定設定別にそれぞれ動的指示され得ることを意味する。
【０２５７】
上記の例示で、サブセットインデックスは、ＤＣＩにおいて該当のアンテナポートサブセットを指示するために用いることができる。
【０２５８】
他の技術提案として、上記アンテナポートサブセットに連動した非周期的ＣＳＩ−ＲＳの実際に送信されるＲＥパターンに関して次のようなオプションが可能である。
【０２５９】
オプション１．  非周期的ＣＳＩ−ＲＳのために設定されたアンテナポート数とレガシーＲＥパターンにおける部分ＲＥパターン
【０２６０】
Ａ．オプション１は、該当のリソースに設定されたアンテナポート数は変わらず、端末に指示されるアンテナポートサブセットに該当する（部分）ＲＥパターンに対してのみ測定するようにする。例えば、該当のリソースは８ポートと設定され、アンテナポートサブセットが｛１５，１６，１９，２０｝として動的指示された場合、端末は８ポートと定義された（レガシー）ＣＳＩ−ＲＳ  ＲＥパターンのうち、与えられたアンテナポートサブセットに該当する４個のＲＥだけを用いてＣＳＩ−ＲＳを測定することができる。このとき、ＣＳＩ−ＲＳ伝送に用いられないＲＥは他の用途（例えば、データ伝送）に用いることができる。
【０２６１】
オプション２．  アンテナポート（サブセット）設定によって指示されたアンテナポート数による（レガシー、又はあらかじめ定義／あらかじめ設定された）ＲＥパターン
【０２６２】
Ａ．オプション２は、アンテナポートサブセットに含まれたアンテナポートの数字に基づいて送信されるＣＳＩ−ＲＳ  ＲＥの数が決定されると同時に、該当のＣＳＩ−ＲＳ  ＲＥが送信されるＲＥパターン位置が上記のように固定された（レガシー、又はあらかじめ定義／あらかじめ設定された）状態で、該当のＲＥパターンに対して適用するアンテナポートナンバリング（ｎｕｍｂｅｒｉｎｇ）が上記アンテナポート（サブセット）設定による指示に従うようにする。例えば、基地局が８ポート伝送を具現しているとしても、この事実は端末に設定されても設定されなくてもよく、上記の一例として、アンテナポートサブセットがアンテナポート｛１５，１６，１９，２０｝と指示されていると、該当の非周期的ＣＳＩ−ＲＳは４ポート伝送であることを端末が認識し、上記（レガシー、又はあらかじめ定義／あらかじめ設定された）４ポートＲＥパターンに対して非周期的ＣＳＩ−ＲＳを測定するようにする。このとき、これと共に下記特定“アンテナポートサブセット（ホッピング／サイクリング）（ｈｏｐｐｉｎｇ／ｃｙｃｌｉｎｇ）パターン”が共に指示されると、端末は他の時点に受信される他のＣＳＩ−ＲＳポートに対してアンテナポートナンバリングを連接させて集成されたＣＳＩ導出及び報告を行うように定義／設定されてもよい。
【０２６３】
全アンテナポートに対するチャネルを測定するために、基地局は、２つ以上の（隣接した）サブフレームで互いに異なる設定（例えば、アンテナポートサブセット）を有する非周期的ＣＳＩ−ＲＳを端末に設定することができる。この時、該当のアンテナポートサブセットの和集合は全アンテナポートになり得、端末は各サブフレームで測定されたチャネル情報を集成して全アンテナポートに対するチャネル情報を計算及び報告できるようにしてもよい。
【０２６４】
特に、測定されたチャネル情報のエージング（ａｇｉｎｇ）を防止するために、互いに隣接したサブフレーム内で異なるアンテナポートサブセットを用いた非周期的ＣＳＩ−ＲＳを送信できる形態で特定制限を与えることができる。例えば、上記‘タイミングパターン’情報は、暗示的に該当のＤＣＩトリガリング時点サブフレームｎから例えば非周期的ＣＳＩ−ＲＳが送信される｛…、サブフレームｎ−２、サブフレームｎ−１、サブフレームｎ、サブフレームｎ＋１，…｝のうちの一部を“多重−ショットトリガリング”形態と定義／設定されてもよい。このために、基地局は、複数の非周期的ＣＳＩ−ＲＳを１つのＤＣＩで指示することができる。１つのＤＣＩで複数の非周期的ＣＳＩ−ＲＳを指示する場合には、各非周期的ＣＳＩ−ＲＳが送信される位置に関する情報を含まなければならず、その内容は上述した方法を用いることができる。例えば、ＲＥパターンは複数の非周期的ＣＳＩ−ＲＳ間に共通したり事前に（各リソース別に）定義／設定されてもよく、又はＲＥパターン自体を上記の“多重−ショットトリガリング（ｍｕｌｔｉ−ｓｈｏｔ  ｔｒｉｇｇｅｒｉｎｇ）”による動的指示属性に含めてもよい。
【０２６５】
この場合、複数のアンテナポートサブセットが特定区間内（例えば、上記Ｋ、Ｌ値と定義できる。）の各非周期的ＣＳＩ−ＲＳ伝送時点に、（一種の“アンテナポートサブセット”ホッピング／サイクリングパターン形態で）連動してもよい。例えば、実際４ポートに対する非周期的ＣＳＩ−ＲＳを送るために、（このために、ＲＲＣ設定上ではアンテナポート数が上記のように８ポート（＞４）に設定され得る。）、特定区間における一番目の非周期的ＣＳＩ−ＲＳ伝送時点の場合、一番目のアンテナポートサブセット｛１５，１６，１９，２０｝に対する非周期的ＣＳＩ−ＲＳが、二番目の非周期的ＣＳＩ−ＲＳ伝送時点には二番目のアンテナポートサブセット｛１７，１８，２１，２２｝に対する非周期的ＣＳＩ−ＲＳが送信されるように設定され得る。このような時間によるアンテナポートサブセット（又は、ホッピング／サイクリングパターン情報そのもの）はＲＲＣ或いはＭＡＣシグナリングのような上位層シグナリングで端末に送信される。
【０２６６】
上記非周期的ＣＳＩ−ＲＳのための設定が事前に定義されたり或いはＲＲＣなどの上位シグナリングで設定され、ＤＣＩのような方法で端末に知らせることができる。すなわち、４ビットのＤＣＩシグナリングを用いる場合、１６個の設定をＲＲＣであらかじめ設定、或いはあらかじめ定義し、上記ＤＣＩシグナリングでそのうちの一つを指示することができる。該当の非周期的ＣＳＩ−ＲＳのための設定は、上記非周期的ＣＳＩ−ＲＳ関連情報に、例えば、次のような情報を含むことができ、下記情報のうち少なくとも一つに関して上記に提案した動作の一部が同一に適用され得ることは明らかである。また、下記属性は、本発明で主に議論する非周期的ＣＳＩ−ＲＳではなく、周期的ＣＳＩ−ＲＳの設定内に含まれて用いられ得る。
【０２６７】
●（非周期的ＣＳＩ−ＲＳのための）設定ＩＤ（例えば、下記属性が非周期的ＣＳＩ−ＲＳリソース内に設定されず、別途に動的指示され得るように設定上で分離され得る。）
【０２６８】
●リソース（ＲＥ／タイミング）パターン
【０２６９】
●アンテナポートサブセット
【０２７０】
●アンテナポート数
【０２７１】
●サブフレーム−設定（例えば、多数のサブフレーム−設定を上記動的指示の対象とし、特定サブフレーム−設定が指示されると、後に他のサブフレーム−設定が指示されるまでは該当の周期／オフセットで周期的な伝送ができる。又は、非活性化のための別途の指示子による指示も可能である。）
【０２７２】
●スクランブリングＩＤ（例えば、仮想セル識別子）
【０２７３】
●ＱＣＬ関連情報（例えば、該当の非周期的ＣＳＩ−ＲＳとＱＣＬ関係にあるＣＲＳ情報）
【０２７４】
すなわち、これらの属性のうち少なくとも一つは、上記したホッピング／サイクリングパターン形態と事前に設定／定義された状態で“多重−ショットトリガリング”形態で一つのＤＣＩによって指示され得る。
【０２７５】
非周期的ＣＳＩ−ＲＳ指示と非周期的ＣＳＩ要求の伝送ＤＣＩを分離する場合、非周期的ＣＳＩ要求フィールドを非周期的ＣＳＩ−ＲＳ指示に活用できる。例えば、追加の２ビットを用いて、非周期的ＣＳＩ−ＲＳ指示として使用する場合、該当のビットが特定状態（例えば、‘００’）として送信されると、非周期的ＣＳＩ要求フィールドの２ビットは既存の非周期的ＣＳＩ要求と同一に解釈され、非周期的ＣＳＩ−ＲＳ指示フィールドが‘００’以外の値になる場合、非周期的ＣＳＩ要求フィールドは非周期的ＣＳＩ−ＲＳ指示フィールドと共に総４ビットのペイロードのうちの特定Ｘ個（例えば、Ｘ＝１２）状態（総１６個の状態のうち、‘００ｘｘ’の４個を除く状態）と解釈されて、該当の非周期的ＣＳＩ−ＲＳ指示情報が端末に送信され得る。
【０２７６】
端末へのＵＬデータ割り当てが不要である場合、ＵＬ  ＤＣＩを用いた非周期的ＣＳＩ−ＲＳ指示を送信するとき、より自由な非周期的ＣＳＩ−ＲＳ設定シグナリングのために、ＵＬ  ＤＣＩにおけるＵＬデータのためのフィールド（例えば、リソース割り当て（ｒｅｓｏｕｒｃｅ  ａｌｌｏｃａｔｉｏｎ；ＲＡ））を用いることができる。上記の指示フィールド値のうちの特定状態（例えば、‘１１１１’）を、‘拡張された非周期的ＣＳＩ−ＲＳ指示’のような形態で定義し、該当の状態が端末にシグナルされた場合、ＵＬリソース割り当てフィールドなどの、用いられない特定フィールドを追加の非周期的ＣＳＩ−ＲＳ指示フィールドとして活用してより詳細な設定を端末に送信することができる。この場合、使用可能なフィールドは、ＣＱＩ要求フィールド、ＳＲＳ要求フィールドを除くＵＬ  ＤＣＩフィールドの中で一部を用いることができる。
【０２７７】
上記のように非周期的ＣＳＩ報告を報告しなければならない場合、該当のＣＳＩはＰＵＳＣＨにピギーバック（ｐｉｇｇｙｂａｃｋ）されて送信される。特に、１つのＣＳＩプロセス内の２つ以上のＣＳＩ−ＲＳリソースに対するＣＳＩを測定／報告する場合、端末は各ＣＳＩ−ＲＳリソースに対するＣＳＩをＰＵＳＣＨリソースにマップするとき、最低ＣＳＩ−ＲＳリソースインデックスから始めてマップする。したがって、次のような順序で行われる。
【０２７８】
１．  最低ＣＳＩプロセスインデックス優先
【０２７９】
２．  ＣＳＩプロセスインデックスが同じであれば、最低ＣＳＩ−ＲＳリソースインデックス優先
【０２８０】
上記ＣＳＩ−ＲＳリソースインデックスはＣＳＩプロセス内に設定されたＣＳＩ−ＲＳリソースに対するインデックスであり、図５及び図６においてＣＳＩ−ＲＳ  １、ＣＳＩ−ＲＳ  ２がそれに当たる。
【０２８１】
仮にＣＳＩプロセスを用いて上記動作を支援するためには、上記２つの非周期的ＣＳＩ−ＲＳリソースは互いに異なるＣＳＩプロセスに割り当て、各ＣＳＩプロセスを非周期的ＣＳＩ要求の状態に割り当てると、端末に、２ビットの非周期的ＣＳＩ要求を用いて、いずれの非周期的ＣＳＩ−ＲＳを用いた非周期的ＣＳＩ−ＲＳを送信するかに関する情報を知らせることができる。これは、追加のＤＣＩシグナリングを必要としないが、端末に設定するためのＣＳＩプロセスの最大数字が制限されているため（例えば、最大で５個のＣＳＩプロセス）、ＣＳＩプロセスが不足する場合がある。
【０２８２】
【表１７】
2018522474.tif 000035
【０２８３】
上の表において、ＣＳＩプロセス１には非周期的ＣＳＩ−ＲＳリソース１が、ＣＳＩプロセス２には非周期的ＣＳＩ−ＲＳリソース２が割り当てられている状況を挙げている。したがって、端末に非周期的ＣＳＩ要求で１０が送信されると、端末は非周期的ＣＳＩ−ＲＳリソース１のうち、最も近いリソースに対する非周期的ＣＳＩを測定／報告することができる。
【０２８４】
ビーム制限されたＺＰ  ＣＳＩ−ＲＳ
【０２８５】
ＣｏＭＰ環境における干渉測定のために、ＣＳＩ−ＩＭを設定して隣接基地局の協調が動作している状態で干渉測定しやすい環境を作った。しかし、上記のように複数個のＣＳＩ−ＲＳが１つのＣＳＩプロセスに設定されてもよいとき、ＣｏＭＰのような状況で干渉などの測定のためのＣＳＩプロセスを設定すると、ＣＳＩ−ＲＳのためのリソースが不足することがある。例えば、ＣＳＩプロセスが５個設定され、各ＣＳＩプロセスにＣＳＩ−ＲＳが４個ずつ設定されると、総２０個のＣＳＩ−ＲＳリソースが用いられる。現在のＬＴＥ標準のような状況で、ＣＳＩ−ＲＳのリソースは８ポートのときに最大で１０個の利用可能なＣＳＩ−ＲＳリソースが存在する。したがって、現在のようにＣＳＩ−ＲＳリソースを共有するＣＳＩ−ＩＭを設定する上ではＣＳＩ−ＲＳリソースが不足する場合がある。
【０２８６】
このため、ＣＳＩ−ＩＭのために該当のリソースで送信される信号には上記ＣＳＩ−ＲＳの特性の一部を制限する方法を考慮することができる。例えば、特定の垂直ビームを使用する端末に限ってＺＰ−ＣＳＩ−ＲＳを設定するなどの方法を考慮することができる。しかし、垂直ビームを用いる場合、該当のビームの特性によって特定端末に及ぶ干渉影響が完全には除去し難く、このため、端末に与えられる干渉影響を完全に除去することが困難である。また、現在のＣＳＩ−ＩＭは、該当のリソースに干渉が完全に回避されたか、或いは垂直ビーム回避などの方法で干渉の一部だけが抑制されたかが分からない。すなわち、現在の方法では干渉セルでデータ伝送に特定‘特性’を用いた時の干渉効果を正確に確認することができない。
【０２８７】
したがって、基地局は端末にＣＳＩ−ＩＭを設定する代わりに、ＣＳＩ−部分−ＩＭ（ＣＳＩ−ＰＩＭ）を設定することができる。該当のリソースにおいて端末は隣接基地局がデータ伝送に特定特性を制限した時の干渉抑制レベルを測定できることを目標とする。端末は該当のＣＳＩ−ＰＩＭリソースでの干渉結果を測定して基地局にフィードバックし、基地局は該当の情報を基地局間に共有して、より効率的な垂直ビームスケジューリングに使用できることと期待される。例えば、セルＢの特定垂直ビームに対する干渉が大きい端末がセルＡに多い場合、セルＢの基地局ではセルＡのために該当の垂直ビームの使用を特定の時間において制限する動作が可能であろう。既存のＣＳＩ−ＩＭは該当のリソースで干渉を測定して、ＣＱＩ計算に干渉の目的などとして使用することができる。この場合、該当のリソースでは隣接基地局でいかなる動作を行うか（例えば、伝送をしないか、日常的なデータ伝送をするかなど）が明示されていない。すなわち、該当のリソースでは干渉基地局でデータを送信することもあり、或いは送信しないこともある。端末は、このような状況で干渉を測定して、実際データを送信する時に入る干渉に近い干渉を測定することができる。
【０２８８】
ＣＳＩ−ＰＩＭの場合は、該当のリソースでは特定‘特性’が適用されたデータ伝送がなされる端末にＺＰ−ＣＳＩ−ＲＳを適用することができる。例えば、干渉基地局で垂直ビーム０〜３の総４個の垂直ビームを用いてデータ伝送を行う時、垂直ビーム０、１を使用する端末に対するリソースに限ってＺＰ−ＣＳＩ−ＲＳを適用することができる。したがって、ＣＳＩ−ＰＩＭリソースでは干渉セルでデータを送信することも送信しないこともあるが、特定‘特性’を用いて送信されるデータは存在しなくなり、よって、端末は特定‘特性’を用いて送信する時の干渉だけを測定することができる。
【０２８９】
この場合、端末は、該当のＣＳＩ−ＰＩＭで測定された干渉をＣＱＩに含めて送信する代わりに、測定された干渉量を基地局に直接報告する動作が可能である。或いは、ＣＳＩ−ＰＩＭで測定された干渉に耐えられる（ｂｅａｒａｂｌｅ）か否かを基地局に知らせることができる。例えば、端末が耐え得る干渉閾値が存在し、該当のＣＳＩ−ＰＩＭで測定された干渉が該当の干渉閾値よりも大きい場合、端末は‘耐えられない干渉’を意味するフィードバックをし、それよりも小さい場合、端末は‘耐えられる干渉’を意味するフィードバックができる。この場合、例えば、１ビットシグナリングを用いて、‘０’を‘耐えられる干渉’と、‘１’を‘耐えられない干渉’と定義してフィードバックしてもよく、その逆に設定／動作してもよい。或いは、測定された干渉の絶対量を直接送るが、端末が事前に基地局に伝達した端末干渉閾値などを考慮して基地局が‘耐えられる干渉’であるか否かを判断して基地局間に共有できる。上記干渉閾値は端末の能力（ｃａｐａｂｉｌｉｔｙ）として端末が保有したり必要によって端末が基地局に伝送してもよく、或いは基地局から上位層シグナリングなどで設定されてもよい。
【０２９０】
基地局間の遅延を考慮したとき、干渉の速いフェーディング（ｆａｓｔ  ｆａｄｉｎｇ）特性は測定の意味が少ないため、ＣＳＩ−ＰＩＭを一定区間で測定して干渉のロング−ターム特性を測定することができる。このような場合にＣＳＩ−ＰＩＭ設定には、上記ＣＳＩ−ＲＳのリソース特性の他にも、リソースの開始サブフレーム／終了サブフレーム（或いは、区間）部分を含むことができる。ＣＳＩ−ＰＩＭは、上記開始サブフレームから終了サブフレームまで（或いは、区間に）該当のＣＳＩ−ＰＩＭを設定し、端末は該当の区間において設定されたＣＳＩ−ＰＩＭリソースで干渉量を測定する。
【０２９１】
この方法は、干渉基地局が特定ビームを使用する時、該当の端末に及ぼす干渉を正確に測定することができる。また、仮に基地局間の伝送遅延が小さいと、この情報はＣｏＭＰ基地局間の協調通信に迅速に利用され得る。しかし、基地局間の伝送遅延が大きいと、下記ＲＲＭ測定方法に比べて大きい遅延利得が得られなくなる。
【０２９２】
上記の耐えられる干渉であるか否かのフィードバックは、上位層シグナリングで行うことができる。或いは、非周期的ＣＳＩ要求と共に用いられてもよい。非周期的ＣＳＩ要求が非周期的に設定された該当のＣＳＩ−ＰＩＭにおけるフィードバックを要求する場合、端末は該当のＣＳＩ−ＰＩＭで測定された干渉強度、或いは上記干渉に耐えられるか否かを測定／判断して、上りリンクリソースでフィードバックすることができる。
【０２９３】
上記動作は、ＲＲＭ測定に取り替えてもよい。端末は、測定するＲＲＭ−ＲＳに対して、各測定結果値と干渉閾値とを比較して、各ＲＲＭ−ＲＳに対する耐えられる干渉であるか否かをそれぞれフィードバックしたり或いは端末の干渉閾値を基地局に送信し、基地局は、端末から送信されたＲＲＭ報告値に基づいて、該当のＣＳＩ−ＲＳに対する耐えられる干渉であるか否かを判断することができる。或いは、単に、送信されたＲＲＭ報告値を基地局間に共有してもよい。この場合、追加のＣＳＩ−ＲＳ割り当てが不要であるため、既存の方法に比べて物理層のオーバーヘッドを少なくできる長所があるが、ＲＲＭ測定及び上位層を用いた通信に必要な時間が長いため、ＣＳＩ−ＰＩＭを用いた方法に比べてより長い遅延を有することがある。
【０２９４】
ＬＴＥ  Ｒｅｌ−１３  ＦＤ−ＭＩＭＯは、ビームフォーミングされたＣＳＩ−ＲＳベースの動作を支援し、ビームフォーミングされたＣＳＩ−ＲＳは２個の特徴に大別され、クラスＢのＣＳＩプロセス内に設定されたＮＺＰ  ＣＳＩ−ＲＳリソースの数（Ｋ）に関して、
【０２９５】
Ｋ＞１のクラスＢ：存在するＲＩ／ＰＭＩ／ＣＱＩ報告を含むＣＲＩ報告
【０２９６】
Ｋ＝１のクラスＢ：存在するＲＩ／ＰＭＩ／ＣＱＩ報告、レガシーコードブック又はＲｅｌ−１３で定義された新しいコードブックを使用するように指示するＰＭＩ−設定に依存する。
【０２９７】
Ｋ＞１のクラスＢは、一般的にＣＳＩ−ＲＳ別に適用された個別のビームフォーミング係数を有するセルで送信されるセル−特定ビームフォーミングされたＣＳＩ−ＲＳに基づくものと見なされ、このため、端末はＣＲＩ報告によって設定されたＫ個のＣＳＩ−ＲＳの中で最上（ｂｅｓｔ）のＣＳＩ−ＲＳインデックスを選択して報告することができる。しかし、常にセル−特定ビームフォーミングされたＣＳＩ−ＲＳを含む必要はなく、基地局具現によって、ＣＳＩ−ＲＳリソースレベルで端末によるビーム選択のための端末−特定（又は、端末グループ−特定）ビームフォーミングされたＣＳＩ−ＲＳリソースを有してもよい。
【０２９８】
Ｋ＝１のクラスＢは、一般的に端末のために送信された端末−特定ビームフォーミングされたＣＳＩ−ＲＳに基づくことができ、よって、端末は設定された“端末−専用”ビームフォーミングされたＣＳＩ−ＲＳリソースに基づいてＣＳＩ報告を行うことができる。基地局具現によって、このケースはまた、特に、共通ビーム方向がセルで複数の端末のために共通のＫ＝１ビームフォーミングされたＣＳＩ−ＲＳリソースに適用可能である場合、ＣＳＩ−ＲＳオーバーヘッドを減らすために端末グループ−特定ビームフォーミングされたＣＳＩ−ＲＳに基づいて活用されてもよい。
【０２９９】
クラスＢのために上記で既に支援した特徴のうち、ビームフォーミングされたＣＳＩ−ＲＳベースの動作に関連した潜在的な改善主題について後述する。
【０３００】
セル−間干渉緩和のためのＣＲＩサブセット制限
【０３０１】
Ｋ＞１のクラスＢの場合に対して、設定されたＫ個のＣＳＩ−ＲＳは互いに異なるビーム方向に向かって送信され、これは、図１０に示すように、互いに異なる垂直ビーム方向を含むことができる。しかし、ビームの方向が他のセルの端末に到達可能であれば、特定ビームは隣接セルに強い干渉を誘発することがある。例えば、端末２のためのビームは隣接セルの端末３に直接干渉を与えることがあり、このようなビーム方向は、深刻なセル−間干渉を誘発する水平方向に向かうことがある。
【０３０２】
このような干渉問題を回避するために、一種の厳格なビーム制限を垂直ビーム調節（ｓｔｅｅｒｉｎｇ）に関して考慮することができる。例えば、端末２に向かうビームを厳格に禁止することができる。しかし、高層ビルにいる端末が干渉を受ける端末がない場合、又はネットワーク具現によって隣接セル間にいくつかのスケジューリング調整が可能であれば、データ伝送のためのビームで依然としてサービス提供を受けることがあり、いかなる場合においても単純にビームを制限することは好ましくない。
【０３０３】
ＬＴＥ  Ｒｅｌ−１３において現在ＣＲＩ報告及び関連したＣＳＩフィードバック行動を考慮することは既に２つのサブフレーム集合に対して支援され、サブフレーム集合別ＣＲＩサブセット制限を、問題を緩和し、ＣＲＩを導出するための端末の仮定を制御するためのネットワークの柔軟性を提供するために考慮ですることができる。例えば、全てのビーム方向を有するＫ個のビームフォーミングされたＣＳＩ−ＲＳをサブフレーム集合１に対して設定することができ、一方、Ｋ個のＣＳＩ−ＲＳのサブセットのみがサブフレーム集合２に対して有効であると制限することができる。その後、端末は各サブフレーム集合に対してＣＲＩを含めたＣＳＩを測定及び報告でき、したがって、基地局はセル間にセル−間干渉状況及び可能な調整を考慮したＣＲＩを柔軟に使用することができる。
【０３０４】
▲サブフレーム集合を有するＣＲＩサブセット制限がセル−間干渉を緩和するために考慮される
【０３０５】
ＣＳＩ−ＲＳ活性化／非活性化を含めたオーバーヘッド減少
【０３０６】
ＣＳＩ−ＲＳオーバーヘッド減少技術をその目的によって調べる必要がある。オーバーヘッド減少の一方案は、セルで端末分布に依存して、セルのそれぞれでビームフォーミングされたＣＳＩ−ＲＳの活性化／非活性化を取り扱うことに関連付く必要がある。より詳しくは、基地局が特定ビーム方向にサービス提供をする端末が存在するか否かによって、特定方向に向かういくつかのＣＳＩ−ＲＳをオン又はオフできることが支援されるべきである。図１１に示すように、ゾーンＣ及びＤに向かうＣＳＩ−ＲＳのように、ＣＲＩ報告の時間区間において端末が選択されない特定ＣＳＩ−ＲＳがあり得る。このようなＣＳＩ−ＲＳは、キャリア集成（ＣＡ）システムにおいてＳＣｅｌｌを活性化／非活性化することとやや類似に、適切なＬ２シグナリングで非活性化されてもよく、迅速で効率的なリソース活用の観点でＲＲＣ再構成に依存することに比べてより適切であろう。
【０３０７】
非活性化されたＣＳＩ−ＲＳのためのリソースをデータ伝送のために活用することができ、したがって、ＣＳＩ−ＲＳオーバーヘッド減少メカニズムはリソース活用効率性を増加させる利得をもたらす。つまり、いくつかの活性／非活性されたＣＳＩ−ＲＳ  ＲＥをアップデートすることを考慮するＺＰ  ＣＳＩ−ＲＳ再設定のための類似のＬ１／Ｌ２−レベルシグナリングがまた、クラスＢ、Ｋ＞１に設定されていない他の端末のために支援される必要がある。
【０３０８】
▲ＣＳＩ−ＲＳ活性化／非活性化に基づくオーバーヘッド減少メカニズムが調査（ｉｎｖｅｓｔｉｇａｔｅ）される必要がある
【０３０９】
上の方式は、ＣＲＩ測定及び報告のために複数個のＣＳＩ−ＲＳを送信するＦＤ−ＭＩＭＯ方式において、該当のＣＳＩ−ＲＳの一部のビームを活性化／非活性化して該当のＣＳＩ−ＲＳを送信するリソースを節約するための技術である。このために、非活性されるＣＳＩ−ＲＳリソースに対するＺＰ  ＣＳＩ−ＲＳの非活性化設定が必要である。従前には、ＣＲＩ報告をしないクラスＡ端末或いはＦＤ−ＭＩＭＯを使用しない端末が該当のリソースをレートマッチングのような方法で避けるために、該当のリソースに対するＺＰ  ＣＳＩ−ＲＳ設定を端末に知らせる形態で支援されている。
【０３１０】
仮に上記のように特定リソースに対するＣＳＩ−ＲＳを活性／非活性できると、該当のリソースに該当するＺＰ  ＣＳＩ−ＲＳを非活性化して、該当のリソースをそれ以上レートマッチングしないように端末に設定することができる。このために、ＤＣＩやＭＡＣのように少ない遅延を有するシグナリングを使用する。特に、該当の設定は、セル−特定的に送信することができ、このためにＤＣＩを使用する場合、ＤＣＩ  ３／３Ａのような形式を用いることができる。
【０３１１】
上記のＺＰ  ＣＳＩ−ＲＳ非活性化（又は、活性化）信号を下記のように構成することができる。
【０３１２】
オプション１．  開始時点＋対象ＺＰ  ＣＳＩ−ＲＳリソース
【０３１３】
■開始時点は、絶対時間値、或いは該当のシグナリングを受信した時点を基準にオフセット値を使用することができる。
【０３１４】
■区間（ｄｕｒａｔｉｏｎ）或いは終了時点は、ＲＲＣシグナリングのような上位層シグナリングで与えたり、或いは固定値であってもよい。
【０３１５】
オプション２．  開始時点＋区間＋対象ＺＰ  ＣＳＩ−ＲＳリソース
【０３１６】
オプション３．  開始時点＋終了時点＋対象ＺＰ  ＣＳＩ−ＲＳリソース
【０３１７】
オプション４．  開始時点＋対象ＺＰ  ＣＳＩ−ＲＳリソース及び別途のＺＰ  ＣＳＩ−ＲＳ活性化信号
【０３１８】
■別途の活性化シグナリングを送信する。したがって、ＺＰ  ＣＳＩ−ＲＳの非活性化時間は、活性化されるまでとなる。
【０３１９】
■活性化時点は、絶対時間値、或いは該当のシグナリングを受信した時点を基準にオフセット値をシグナリングすることができる。
【０３２０】
オプション５．  開始時点＋対象ＺＰ  ＣＳＩ−ＲＳリソース、及び別途のＺＰ  ＣＳＩ−ＲＳ活性化信号＋対象ＺＰ  ＣＳＩ−ＲＳリソース
【０３２１】
■上記の方式において、活性化シグナリングで選択的にＺＰ  ＣＳＩ−ＲＳを活性化することができる。
【０３２２】
対象リソースは、ビットマップ形式で送信することができる。このとき、ビットマップで送信されるリソースは、既存の４ポートＺＰ  ＣＳＩ−ＲＳリソース指示であってもよく、ＲＲＣシグナリングで設定された別途のＫ個のポート（Ｋは４以外の数字であり得る。）ＺＰ  ＣＳＩ−ＲＳリソースに対するリソース指示子であってもよい。
【０３２３】
上記のＺＰ  ＣＳＩ−ＲＳ非活性化（及び／又は、活性化）信号は、ＺＰ  ＣＳＩ−ＲＳ更新信号と解釈できる。すなわち、上述した非活性化／活性化信号の区分無しで、指定されたＺＰ  ＣＳＩ−ＲＳリソースに対して該当のＺＰ  ＣＳＩ−ＲＳを非活性化（或いは、活性化）することができる。言い換えると、ＺＰ  ＣＳＩ−ＲＳビットマップ‘１１１１’で４個のリソースを非活性化させた場合、次のＺＰ  ＣＳＩ−ＲＳ更新信号に含まれた‘１１０１’は３番目のＺＰ  ＣＳＩ−ＲＳリソースを活性化させる意味と解釈できる。
【０３２４】
上記のオプションにおいて、開始時点は、ＲＲＣなどの上位層シグナリングで与えたり、或いは固定値（例えば、指示を受信したサブフレーム＋ｋ個のサブフレーム、ｋ＝０，１、又は８，…）であってもよい。この場合、上記のオプションにおいて開始時点を含まなくて済む。例えば、オプション１の場合、対象ＺＰ  ＣＳＩ−ＲＳ指定信号だけを含んでもよい。
【０３２５】
別のシグナリング無しで、ＮＺＰ  ＣＳＩ−ＲＳ非活性化シグナリングがＺＰ  ＣＳＩ−ＲＳ非活性化シグナリングと解釈されてもよい。或いは、ＮＺＰ  ＣＳＩ−ＲＳ非活性化シグナリングの一部のフィールド（例えば、対象ＮＺＰ  ＣＳＩ−ＲＳリソース指示フィールド）がＺＰ  ＣＳＩ−ＲＳ非活性化シグナリングに含まれたシグナリング（例えば、対象ＺＰ  ＣＳＩ−ＲＳリソース指示フィールド）と解釈されてもよい。この場合、ＮＺＰ  ＣＳＩ−ＲＳはセル−特定に送信されるシグナリングである必要がある。
【０３２６】
上述したＺＰ  ＣＳＩ−ＲＳ活性化／非活性化をＮＺＰ  ＣＳＩ−ＲＳ活性化／非活性化の信号にも類似の構造で用いることができる。上記のＮＺＰ  ＣＳＩ−ＲＳ非活性化（及び／又は、活性化）信号は、下記のように構成することができる。
【０３２７】
オプション１．  開始時点＋対象ＮＺＰ  ＣＳＩ−ＲＳ
【０３２８】
オプション２．  開始時点＋区間＋対象ＮＺＰ  ＣＳＩ−ＲＳ
【０３２９】
オプション３．  開始時点＋終了時点＋対象ＮＺＰ  ＣＳＩ−ＲＳ
【０３３０】
オプション４．  開始時点＋対象ＮＺＰ  ＣＳＩ−ＲＳ、及び別途のＮＺＰ  ＣＳＩ−ＲＳ活性化信号
【０３３１】
オプション５．  開始時点＋対象ＮＺＰ  ＣＳＩ−ＲＳ、及び別途のＮＺＰ  ＣＳＩ−ＲＳ活性化
【０３３２】
このとき、対象ＮＺＰ  ＣＳＩ−ＲＳをビットマップ形式で送信することができる。このとき、ビットマップで設定及び送信されるリソースは、ＲＲＣシグナリングなどで設定されたＮＺＰ  ＣＳＩ−ＲＳであり、ビットマップにおいて各ビットに対応するＮＺＰ  ＣＳＩ−ＲＳは、同じＣＳＩプロセスにおけるリソース設定を受けた順にマップすることができる。
【０３３３】
非周期的ＣＳＩ−ＲＳのオーバーヘッド減少
【０３３４】
ＣＳＩ−ＲＳオーバーヘッド減少のために、ＬＴＥ  Ｒｅｌ−１３において特定された測定制限（ｍｅａｓｕｒｉｎｇ  ｒｅｓｔｒｉｃｔｉｏｎ；ＭＲ）を、あらかじめ設定された可能なＣＳＩ−ＲＳ伝送機会内で非周期的ＣＳＩ−ＲＳ伝送として用いることができる。‘ＭＲ−ＯＮ’と設定されたＣＳＩ−ＲＳのために、端末は、非周期的ＣＳＩ要求が受信された場合に限ってＣＳＩ−ＲＳを測定することができる。図１２に示すように、例えば、インデックスＢ１及びＢ２の異なるビームを同一のＣＳＩ−ＲＳに適用することができ、これを“ＣＳＩ−ＲＳリソースプーリング（ｐｏｏｌｉｎｇ）”と呼ぶことができる。言い換えると、基地局は、あらかじめ設定された可能な伝送機会内で、それぞれ異なるビーム方向が適用されたビームフォーミングされたＣＳＩ−ＲＳを自由に選択して送信することができる。しかし、このような現存するメカニズムは、予備されたリソース、例えば、５ｍｓグリッドを必要とするため、ＣＳＩ−ＲＳ伝送のリソース活用効率性を改善する上で重要な制限がある。これは、実際ＣＳＩ−ＲＳ伝送と無関係な占有されたリソースをデータ伝送のような他の目的に用いることができないためである。仮に、可能なＣＳＩ−ＲＳ伝送の予備された伝送機会をたびたび実際に用いることができないと、このような非効率的なリソース活用の問題はより一層深刻化する。
【０３３５】
そこで、より柔軟なリソース使用のために非周期的ＣＳＩ−ＲＳの動的な指示を考慮することができる。非周期的ＣＳＩ要求と関連づけられ得る非周期的ＣＳＩ−ＲＳ指示メッセージは、該当の非周期的に送信されたＣＳＩ−ＲＳがＣＳＩ測定のために用いられる端末に送信される。言い換えると、リソースが非周期的ＣＳＩ−ＲＳのために活用され、代案として、このような非周期的指示のないリソースをデータ伝送のような他の目的に用いることができ、相当のＣＳＩ−ＲＳオーバーヘッド減少を得ることができる。非周期的ＣＳＩを報告するように指示されていない端末のために、このような非周期的ＣＳＩ−ＲＳ指示メッセージは、指示されたリソースの周辺をＰＤＳＣＨレートマッチングを行うための端末のための動的ＺＰ−ＣＳＩ−ＲＳ指示と解釈されてもよい。このメカニズムは可能なＣＳＩ−ＲＳ伝送機会において特定のあらかじめ−設定された時間グリッド、例えば、５ｍｓグリッドを必要とせず、これは、基地局具現のためのリソース活用に柔軟性を与える。
【０３３６】
▲非周期的ＣＳＩ−ＲＳ伝送の動的指示が効率的なリソース活用のために支援される必要がある
【０３３７】
上記のケースにおいて、非周期的ＣＳＩ−ＲＳを測定する必要のない端末のためにＤＣＩを用いた（例えば、１−ビットＺＰ−ＣＳＩ−ＲＳ指示子）シグナリングで非周期的ＣＳＩ−ＲＳの伝送を知らせ、同時にＲＲＣなどで端末に設定された別途の（非周期的ＣＳＩ−ＲＳ伝送を仮定した）ＺＰ−ＣＳＩ−ＲＳ設定を選択して、端末がレートマッチングを行うようにすることができる。特に、このような動作は、特定ＴＭに限って適用することができる。例えば、ＴＭ９に対してのみ上記１−ビット指示子のような新しい指示子を設定することができる。ＴＭ１０の場合には別途のＺＰ−ＣＳＩ−ＲＳ設定無しで、非周期的ＣＳＩ−ＲＳが送信される時を仮定したＺＰ−ＣＳＩ−ＲＳをＲＲＣで設定した後、ＰＱＩを用いて該当のＺＰ−ＣＳＩ−ＲＳを使用することができる。
【０３３８】
また、上記非周期的ＣＳＩ−ＲＳ指示子はリソース選択子（ｓｅｌｅｃｔｏｒ）として用いられてもよい。この場合、上記非周期的ＣＳＩ−ＲＳ指示子は、該当のＣＳＩプロセス（例えば、（同じ時点（例えば、ＳＦ）に共に送られる非周期的ＣＳＩ要求フィールドで動的に指示される特定ＣＳＩプロセス）に含まれたＣＳＩ−ＲＳリソースのうち、上記指示子として指定されたリソース或いはリソース集合に対するＣＳＩを基地局に報告することができる。該当のＣＳＩを用いて端末はＣＲＩを含めて最上（ｂｅｓｔ）の１  ＣＳＩ−ＲＳに対するＣＳＩを報告したり（この場合、一種のＣＲＩ測定／報告の対象となるＣＳＩ−ＲＳリソースの拡張／制限と見なすことができる。）、最上の１  ＣＲＩを選択及び報告する代わりに、リソース指示子として指定されたＣＳＩ−ＲＳに対するＣＳＩを全て報告することができる。ＣＳＩ−ＲＳリソース集合は、ＲＲＣシグナリングのような同じ上位層シグナリングで設定することができる。
【０３３９】
図１３は、本発明の一実施例に係る動作を示図である。
【０３４０】
図１３は、無線通信システムにおいて非周期的チャネル状態情報−参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ；ＣＳＩ−ＲＳ）を用いたチャネル状態報告のための方法に関する。
【０３４１】
端末１０１は、単一ＣＳＩプロセスに含まれた複数の非周期的ＣＳＩ−ＲＳリソース設定を受信することができる（Ｓ１３１０）。その後、上記端末は、上記複数の非周期的ＣＳＩ−ＲＳリソース設定のうちの一つによる非周期的ＣＳＩ−ＲＳを指示する指示子を受信することができる（Ｓ１３２０）。有効な非周期的ＣＳＩ−ＲＳを用いたＣＳＩ要求を受信すると、上記端末は、上記指示子が示す非周期的ＣＳＩ−ＲＳに基づくチャネル状態情報を計算することができ（Ｓ１３３０）、上記計算されたチャネル状態情報を基地局１０２に報告することができる（Ｓ１３４０）。
【０３４２】
上記指示子は、上記複数の非周期的ＣＳＩ−ＲＳリソース設定に共通するアンテナポート情報をさらに指示することができる。
【０３４３】
上記指示子は、上記指示子が示す上記非周期的ＣＳＩ−ＲＳのためのアンテナポート情報をさらに指示することができる。
【０３４４】
また、上記端末は、上記非周期的ＣＳＩ−ＲＳのためのアンテナポート情報に対応するリソース要素（ｒｅｓｏｕｒｃｅ  ｅｌｅｍｅｎｔ）において上記非周期的ＣＳＩ−ＲＳに基づくチャネル状態情報を計算することができる。
【０３４５】
また、上記端末は、複数の隣接したサブフレームにおいて部分アンテナポートで送信される非周期的ＣＳＩ−ＲＳの伝送を示す制御情報を受信することができる。
【０３４６】
上記制御情報は、各サブフレームにおいて非周期的ＣＳＩ−ＲＳ伝送のために用いられる部分アンテナポート情報を含むことができる。
【０３４７】
上記端末は上記複数の隣接したサブフレームにおいてそれぞれの部分アンテナポート情報に基づく非周期的ＣＳＩ−ＲＳを測定することができ、上記複数の隣接したサブフレームにおける測定結果を結合して全アンテナポートに対するチャネル情報を計算することができる。
【０３４８】
また、上記指示子は、上記非周期的ＣＳＩ−ＲＳを用いたチャネル状態報告要求と結合して、上記複数の非周期的ＣＳＩ−ＲＳリソース設定のいずれか一つを指示することができる。
【０３４９】
上記受信されたチャネル状態報告要求が、上記受信された指示子が受信された時点からＫ個のサブフレーム内に受信されると、上記受信されたチャネル状態報告要求が有効だと判断することができる。また、上記有効な非周期的ＣＳＩ−ＲＳを用いたチャネル状態報告要求を受信できないと、上記端末は、上記単一ＣＳＩプロセスにおける非周期的ＣＳＩの対象として設定されたＣＳＩ−ＲＳに対してチャネル状態情報を計算して基地局に報告することができる。
【０３５０】
以上、図１３を参照して本発明に係る実施例を簡略に説明してきたが、図１３と関連した実施例は、前述した実施例の少なくとも一部を代案又は追加として含んでもよい。
【０３５１】
図１４は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できる送受信ユニット１３，２３と、無線通信システム内の通信と関連した各種情報を記憶するメモリ１２，２２と、送受信ユニット１３，２３及びメモリ１２，２２の構成要素と動作的に接続してこれらの構成要素を制御し、当該装置が前述の本発明の実施例の少なくとも一つを実行するようにメモリ１２，２２及び／又は送受信ユニット１３，２３を制御するように構成されたプロセッサ１１，２１をそれぞれ備える。
【０３５２】
メモリ１２，２２は、プロセッサ１１，２１の処理及び制御のためのプログラムを格納することができ、入／出力される情報を臨時記憶することができる。メモリ１２，２２がバッファとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリ１２，２２に格納されてプロセッサ１１，２１によって駆動されてもよい。
【０３５３】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後送受信ユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のために送受信ユニット１３はオシレータ（ｏｓｃｉｌｌａｔｏｒ）を含むことができる。送受信ユニット１３はＮｔ個（Ｎｔは１以上の正の整数）の送信アンテナを含むことができる。
【０３５４】
受信装置２０の信号処理過程は、送信装置１０の信号処理過程の逆となる。プロセッサ２１の制御下に、受信装置２０の送受信ユニット２３は送信装置１０から送信された無線信号を受信する。送受信ユニット２３は、Ｎｒ個の受信アンテナを含むことができ、送受信ユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。送受信ユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０３５５】
送受信ユニット１３，２３は一つ以上のアンテナを具備する。アンテナは、プロセッサ１１，２１の制御下に、本発明の一実施例によって、送受信ユニット１３，２３で処理された信号を外部に送信したり、外部から無線信号を受信して送受信ユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援する送受信ユニットの場合は２個以上のアンテナに接続されてもよい。
【０３５６】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０３５７】
送信装置１０又は受信装置２０は、上述した本発明の実施例のうちの少なくとも１つ又は２つ以上の実施例の組合せを実行することができる。
【０３５８】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０３５９】
本発明は、端末、リレー、基地局などのような通信装置に利用可能である。
【図１】
2018522474.tif 000036
【図２】
2018522474.tif 000037
【図３】
2018522474.tif 000038
【図４】
2018522474.tif 000039
【図５】
2018522474.tif 000040
【図６】
2018522474.tif 000041
【図７】
2018522474.tif 000042
【図８】
2018522474.tif 000043
【図９】
2018522474.tif 000044
【図１０】
2018522474.tif 000045
【図１１】
2018522474.tif 000046
【図１２】
2018522474.tif 000047
【図１３】
2018522474.tif 000048
【図１４】
2018522474.tif 000049
【手続補正書】
【提出日】平成29年12月15日(2017.12.15)
【手続補正１】
【補正対象書類名】明細書
【補正対象項目名】００１７
【補正方法】変更
【補正の内容】
【００１７】
本発明の他の実施例に係る無線通信システムにおいて非周期的チャネル状態情報−参照信号（ｃｈａｎｎｅｌ  ｓｔａｔｅ  ｉｎｆｏｒｍａｔｉｏｎ−ｒｅｆｅｒｅｎｃｅ  ｓｉｇｎａｌ；ＣＳＩ−ＲＳ）を用いたチャネル状態報告を行うように構成された端末であって、上記端末は、送信器と、受信器と、上記送信器及び受信器を制御するように構成されたプロセッサとを含み、上記プロセッサは、単一ＣＳＩプロセスに含まれた複数の非周期的ＣＳＩ−ＲＳリソース設定を受信し、上記複数の非周期的ＣＳＩ−ＲＳリソース設定のうちの一つによる非周期的ＣＳＩ−ＲＳを示す指示子を受信し、そして有効な非周期的ＣＳＩ−ＲＳを用いたＣＳＩ要求を受信すると、上記指示子が示す非周期的ＣＳＩ−ＲＳに基づくチャネル状態情報を計算して基地局に報告するように構成され、上記複数の非周期的ＣＳＩ−ＲＳリソース設定は、上記単一ＣＳＩプロセスにおける複数のＣＳＩ−ＲＳリソース設定に共通に適用されるパラメータを含むことができる。
【手続補正２】
【補正対象書類名】明細書
【補正対象項目名】０１６４
【補正方法】変更
【補正の内容】
【０１６４】
或いは、遅延の代わりに、非周期的ＣＳＩ−ＲＳ指示受信時点を基準に前に送信された非周期的ＣＳＩ−ＲＳを示すことができる。この場合、非周期的ＣＳＩ−ＲＳの伝送時点はサブフレームｎ−ｐ時点と解釈され、上記の表８のような表をそのまま使用することができる。この場合、上記表の意味は、非周期的ＣＳＩ−ＲＳ伝送遅延の代わりに非周期的ＣＳＩ−ＲＳ機会指示になり得る。
【手続補正３】
【補正対象書類名】明細書
【補正対象項目名】０１６５
【補正方法】変更
【補正の内容】
【０１６５】
上記非周期的ＣＳＩ−ＲＳ機会指示子は、表９のような非周期的ＣＳＩ−ＲＳリソース単位で知らせることができる。すなわち、該当のフィールド値によって、端末は非周期的ＣＳＩ−ＲＳ指示受信時点を基準に一番目の非周期的ＣＳＩ−ＲＳ、或いは二番目の非周期的ＣＳＩ−ＲＳを用いた非周期的ＣＳＩを報告することができる。
【手続補正４】
【補正対象書類名】明細書
【補正対象項目名】０２０７
【補正方法】変更
【補正の内容】
【０２０７】
或いは、遅延の代わりに、非周期的ＣＳＩ−ＲＳ指示受信時点を基準に、以前に送信された非周期的ＣＳＩ−ＲＳを示すことができる。この場合、非周期的ＣＳＩ−ＲＳの伝送時点はサブフレームｎ−ｐ時点と解釈され、上記の表８のような表をそのまま使用することができる。この場合、上記表の意味は、非周期的ＣＳＩ−ＲＳ伝送遅延の代わりに非周期的ＣＳＩ−ＲＳ機会指示になり得る。
【手続補正５】
【補正対象書類名】特許請求の範囲
【補正対象項目名】全文
【補正方法】変更
【補正の内容】
【特許請求の範囲】
【請求項１】
無線通信システムにおいて非周期的チャネル状態情報−参照信号（ＣＳＩ−ＲＳ）を用いたチャネル状態報告のための方法であって、前記方法は、端末によって行われ、
１つのＣＳＩプロセスに含まれた複数の非周期的ＣＳＩ−ＲＳリソース設定を受信するステップと、
前記複数の非周期的ＣＳＩ−ＲＳリソース設定の１つを示す非周期的ＣＳＩ要求を受信するステップと、
前記非周期的ＣＳＩ要求により示される非周期的ＣＳＩ−ＲＳに基づくチャネル状態情報を計算し、前記計算されたチャネル状態情報を基地局に報告するステップと、
を含む、チャネル状態報告方法。
【請求項２】
前記複数の非周期的ＣＳＩ−ＲＳリソース設定の少なくとも１つに対する非活性化信号を受信するステップをさらに含む、請求項１に記載のチャネル状態報告方法。
【請求項３】
前記複数の非周期的ＣＳＩ−ＲＳリソース設定の少なくとも１つに対する活性化信号を受信するステップをさらに含む、請求項１に記載のチャネル状態報告方法。
【請求項４】
複数の隣接したサブフレームにおいて部分アンテナポートで送信される非周期的ＣＳＩ−ＲＳの伝送を示す制御情報を受信するステップを含み、
前記制御情報は、前記サブフレームの各々において前記非周期的ＣＳＩ−ＲＳの伝送のために用いられる前記部分アンテナポートに関する情報を含む、請求項１に記載のチャネル状態報告方法。
【請求項５】
前記複数の隣接したサブフレームにおいて前記部分アンテナポートの各々に関する情報に従い非周期的ＣＳＩ−ＲＳを測定するステップと、
前記複数の隣接したサブフレームにおける測定結果を結合し、全アンテナポートに対するチャネル情報を計算するステップと、
を含む、請求項４に記載のチャネル状態報告方法。
【請求項６】
無線通信システムにおいて非周期的チャネル状態情報−参照信号（ＣＳＩ−ＲＳ）を用いたチャネル状態報告を行うように構成された端末であって、前記端末は、
送信器と、
受信器と、
前記送信器及び受信器を制御するプロセッサと、
を備え、
前記プロセッサは、
１つのＣＳＩプロセスに含まれた複数の非周期的ＣＳＩ−ＲＳリソース設定を受信するよう前記受信器を制御し、
前記複数の非周期的ＣＳＩ−ＲＳリソース設定の１つを示す非周期的ＣＳＩ要求を受信するよう前記受信器を制御し、
前記非周期的ＣＳＩ要求により示される非周期的ＣＳＩ−ＲＳに基づくチャネル状態情報を計算し、前記計算されたチャネル状態情報を基地局に報告する、端末。
【請求項７】
前記プロセッサは、前記複数の非周期的ＣＳＩ−ＲＳリソース設定の少なくとも１つに対する非活性化信号を受信するよう前記受信器を制御する、請求項６に記載の端末。
【請求項８】
前記プロセッサは、前記複数の非周期的ＣＳＩ−ＲＳリソース設定の少なくとも１つに対する活性化信号を受信するよう前記受信器を制御する、請求項６に記載の端末。
【請求項９】
前記プロセッサは、複数の隣接したサブフレームにおいて部分アンテナポートで送信される非周期的ＣＳＩ−ＲＳの伝送を示す制御情報を受信するように構成され、前記制御情報は、前記サブフレームの各々において前記非周期的ＣＳＩ−ＲＳの伝送のために用いられる前記部分アンテナポートに関する情報を含む、請求項６に記載の端末。
【請求項１０】
前記プロセッサは、前記複数の隣接したサブフレームにおいて前記部分アンテナポートの各々に関する情報に従い非周期的ＣＳＩ−ＲＳを測定し、前記複数の隣接したサブフレームにおける測定結果を結合し、全アンテナポートに対するチャネル情報を計算するように構成される、請求項９に記載の端末。
【国際調査報告】
2018522474.tif 000050
2018522474.tif 000051
2018522474.tif 000052
2018522474.tif 000053